(57)【要約】      （修正有）【課題】機器の稼働状況を容易かつ簡便に管理する領収書発行システムを提供する。【解決手段】機器管理システム１において、コインランドリー店舗３０の領収書発行システム８は、支払われる金額に応じて稼働を可能とする稼働する複数の機器２のそれぞれに対応して配置された複数の端末装置４と、複数の端末装置の基々に対して通信可能な上位装置５と、を備える。複数の端末装置のそれぞれは、受領した金額に基づく領収書情報を出力する領収書情報出力部を有する。上位装置は、領収書情報を記憶する記憶部と、領収書の発行要求を受け付ける入力装置と、領収書の発行指示を出力する領収書発行制御部と、領収書を発行する発行装置と、を有する。領収書発行制御部は、記憶部に記憶された領収書情報のうち、領収書の発行要求に応じた領収書情報を発行対象として選択して、選択された領収書情報についての領収書の発行指示を、発行装置に出力する。【選択図】図１
2019153195.tif 000002
【特許請求の範囲】
【請求項１】
支払われる金額に応じて稼働を可能とする複数の機器のそれぞれにおいて支払われた当該金額についての領収書を発行する領収書発行方法であって、
前記複数の機器のそれぞれに対応して配置された複数の端末装置において前記金額が受領されたか否かをそれぞれ判定する行程と、
前記複数の端末装置の少なくとも一の端末装置において前記金額が受領されたと判定されたときに当該端末装置が受領された前記金額に基づく領収書情報を出力する行程と、
前記複数の端末装置のそれぞれと通信可能な上位装置において前記領収書情報を記憶する工程と、
前記上位装置において領収書発行要求を受け付けたか否かを判定する工程と、
前記上位装置において前記領収書発行要求を受け付けたときに前記領収書情報についての領収書発行指示を出力する工程と、
前記上位装置において前記領収書発行指示に基づいて前記領収書情報についての領収書を発行する工程と、を備える領収書発行方法。
【請求項２】
前記領収書情報には、受領した前記金額を示す金額情報および前記金額を受領した端末装置と該端末装置が配置された機器とのいずれかを示す識別情報が少なくとも含まれる請求項１に記載の領収書発行方法。
【請求項３】
支払われる金額に応じて稼働を可能とする複数の機器のそれぞれに対応して配置された複数の端末装置と、
前記複数の端末装置のそれぞれに対して通信可能な上位装置と、
を備え、
前記複数の端末装置のそれぞれは、前記金額を受領したときに受領した前記金額に基づく領収書情報を出力する領収書情報出力部を有し、
前記上位装置は、受信した前記領収書情報を記憶する記憶部と、領収書の発行要求を受け付ける入力装置と、領収書の発行指示を出力する領収書発行制御部と、前記発行指示に基づいて領収書を発行する発行装置と、を有し、
前記領収書発行制御部は、前記記憶部を参照して、前記記憶部に記憶された前記領収書情報のうち、入力された前記発行要求に応じた前記領収書情報を発行対象として選択し、選択された前記発行対象の領収書情報についての領収書の発行指示を前記発行装置に出力する領収書発行システム。
【請求項４】
前記領収書情報には、受領した前記金額を示す金額情報および前記金額を受領した端末装置と該端末装置が配置された機器とのいずれかを示す識別情報が少なくとも含まれる請求項３に記載の領収書発行システム。
【請求項５】
支払われる金額に応じて稼働を可能とする複数の機器のそれぞれに対応して配置された複数の端末装置と、
前記複数の端末装置のそれぞれに対して通信可能な上位装置と、
を備え、
前記複数の端末装置のそれぞれは、前記金額を受領したときに受領した前記金額を示す金額情報および前記金額を受領した端末装置と該端末装置が配置された機器とのいずれかを示す識別情報を少なくとも含む領収書情報を出力する領収書情報出力部を有し、前記金額情報にゼロ値がセットされた前記領収書情報を前記領収書情報出力部から出力する第１モードと、前記金額情報に非ゼロ値がセットされた前記領収書情報を前記領収書情報出力部から出力する第２モードとを切り替え可能に構成され、
前記上位装置は、受信した前記領収書情報を記憶する記憶部と、領収書の発行要求を受け付ける入力装置と、領収書の発行指示を出力する領収書発行制御部と、前記発行指示に基づいて領収書を発行する発行装置と、を有し、
前記領収書発行制御部は、前記記憶部を参照して、前記記憶部に記憶された前記領収書情報のうち、入力された前記発行要求に対応する前記領収書情報を発行対象として選択し、選択された前記発行対象の領収書情報の金額情報が非ゼロ値である場合に当該領収書情報についての領収書の発行指示を前記発行装置に出力する
領収書発行システム。
【請求項６】
前記領収書発行制御部は、前記発行対象の領収書情報についての領収書の発行指示を前記発行装置に出力すると共に、前記発行対象の領収書情報に対応する端末装置に対して前記第２モードから前記第１モードへの切り替えを指示するモード切替信号を出力し、
前記複数の端末装置のそれぞれは、前記モード切替信号を受信したときに前記第２モードから前記第１モードへの切り替えを実行する
請求項５に記載の領収書発行システム。
【請求項７】
前記複数の端末装置のそれぞれは、前記第１モードから前記第２モードに切り替わってから所定の時間経過したときに、前記第２モードから前記第１モードに切り替わるように構成された請求項５および６のいずれかに記載の領収書発行システム。
【請求項８】
前記領収書発行制御部は、
受信した前記領収書情報の前記金額情報がゼロ値である場合には、前記記憶部に記憶されている領収書情報を、受信した領収書情報に更新して記憶し、
受信した前記領収書情報の前記金額情報が非ゼロ値である場合には、前記記憶部に記憶されている領収書情報と受信した領収書情報とのそれぞれに含まれる金額情報を合算し、前記記憶部に記憶されている領収書情報をこの合算された金額情報を含む領収書情報に更新して記憶する請求項５乃至７のいずれかに記載の領収書発行システム。
【請求項９】
支払われる金額に応じて稼働を可能とする複数の機器のそれぞれに対応して配置された複数の端末装置と、
前記複数の端末装置のそれぞれに対して通信可能な上位装置と、
を備え、
前記複数の端末装置のそれぞれは、前記金額を受領したときに受領した前記金額に基づく領収書情報を出力する領収書情報出力部を有し、前記領収書情報を前記領収書情報出力部から出力することを規制する第１モードと、前記領収書情報を前記領収書情報出力部から出力する第２モードとを切り替え可能に構成され、
前記上位装置は、受信した前記領収書情報を記憶する記憶部と、領収書の発行要求を受け付ける入力装置と、領収書の発行指示を出力する領収書発行制御部と、前記発行指示に基づいて領収書を発行する発行装置と、を有し、
前記領収書発行制御部は、前記記憶部を参照して、前記記憶部に記憶された前記領収書情報のうち、入力された前記発行要求に応じた前記領収書情報を発行対象として選択し、選択された前記発行対象の領収書情報についての領収書の発行指示を前記発行装置に出力する領収書発行システム。
【請求項１０】
前記領収書発行制御部は、前記発行対象の領収書情報についての領収書の発行指示を前記発行装置に出力すると共に、前記発行対象の領収書情報に対応する端末装置に対して前記第２モードから前記第１モードへの切り替えを指示するモード切替信号を出力し、
前記複数の端末装置のそれぞれは、前記モード切替信号を受信したときに前記第２モードから前記第１モードへの切り替えを実行する請求項９に記載の領収書発行システム。
【請求項１１】
前記複数の端末装置のそれぞれは、前記第１モードから前記第２モードに切り替わってから所定の時間経過したときに、前記第２モードから前記第１モードに切り替わるように構成された請求項９および１０のいずれかに記載の領収書発行システム。
【請求項１２】
前記領収書情報には、受領した前記金額を示す金額情報および前記金額を受領した端末装置と該端末装置が配置された機器とのいずれかを示す識別情報を少なくとも含まれる請求項９乃至１１のいずれかに記載の領収書発行システム。
【請求項１３】
支払われる金額に応じて稼働を可能とする複数の機器のそれぞれに対応して配置された第１価値交換媒体を受領可能な複数の媒体受付装置および第２価値交換媒体を受領可能な複数の端末装置と
前記複数の端末装置のそれぞれに対して通信可能な上位装置と、
を備え、
前記複数の媒体受付装置のそれぞれは、前記第１価値交換媒体を受領したときに、対応する前記端末装置に対して第１価値交換媒体受領信号を出力する出力部を有し、
前記複数の端末装置のそれぞれは、受信した前記第１価値交換媒体受領信号に応じた前記第１価値交換媒体および受領した前記第２価値交換媒体のそれぞれに基づく領収書情報を出力する領収書情報出力部を有し、
前記上位装置は、受信した前記領収書情報を記憶する記憶部と、領収書の発行要求を受け付ける入力装置と、領収書の発行指示を出力する領収書発行制御部と、前記発行指示に基づいて領収書を発行する発行装置と、を有し、
前記領収書発行制御部は、前記記憶部を参照して、前記記憶部に記憶された前記領収書情報のうち、入力された前記発行要求に応じた前記領収書情報を発行対象として選択し、選択された前記発行対象の領収書情報についての領収書の発行指示を前記発行装置に出力する領収書発行システム。
【請求項１４】
前記端末装置は、
前記媒体受付装置が前記第１価値交換媒体を受領したときに、前記第１価値交換媒体を受領したことに基づき前記媒体受付装置の前記出力部から出力される前記第１価値交換媒体受領信号を受信することによって、前記端末装置の前記領収書情報出力部から前記領収書情報を出力し、
前記端末装置が前記第２価値交換媒体を受領したときに、前記第２価値交換媒体を受領したことに基づき、前記端末装置の前記領収書情報出力部から前記領収書情報を出力する請求項１３に記載の領収書発行システム。
【請求項１５】
前記領収書情報には、受領した前記第１価値交換媒体を示す第１金額情報、受領した前記第２価値交換媒体を示す第２金額情報、および、少なくとも前記第１価値交換媒体と前記第２価値交換媒体とのいずれかを受領した端末装置と該端末装置が配置された機器とのいずれかを示す識別情報が少なくとも含まれる請求項１３および１４のいずれかに記載の領収書発行システム。
【請求項１６】
支払われる金額に応じて稼働を可能とする複数の機器のそれぞれに対応して配置された第１価値交換媒体を受領可能な複数の媒体受付装置および第２価値交換媒体を受領可能な複数の端末装置と
前記複数の端末装置のそれぞれに対して通信可能な上位装置と、
を備え、
前記複数の媒体受付装置のそれぞれは、前記第１価値交換媒体を受領したときに、対応する前記端末装置に対して第１価値交換媒体受領信号を出力する出力部を有し、
前記複数の端末装置のそれぞれは、受領した前記第１価値交換媒体を示す第１金額情報、受領した前記第２価値交換媒体を示す第２金額情報、および、前記第１価値交換媒体を受領した媒体受付装置と前記第２価値交換媒体を受領した端末装置に対応する機器および当該機器に対応する当該端末装置とのいずれかを示す識別情報を含む領収書情報を出力する領収書情報出力部を有し、前記第１金額情報および前記第２金額情報にゼロ値がセットされた前記領収書情報が出力される第１モードと、少なくとも前記第１金額情報および前記第２金額情報のいずれかに非ゼロ値がセットされた前記領収書情報が出力される第２モードとを切り替え可能に構成され、
前記上位装置は、受信した前記領収書情報を記憶する記憶部と、領収書の発行要求を受け付ける入力装置と、領収書の発行指示を出力する領収書発行制御部と、前記発行指示に基づいて領収書を発行する発行装置と、を有し、
前記領収書発行制御部は、前記記憶部を参照して、前記記憶部に記憶された前記領収書情報のうち、入力された前記発行要求に対応する前記領収書情報を発行対象として選択し、選択された前記発行対象の領収書情報の第１金額情報および前記第２金額情報のうち少なくとも一方が非ゼロ値である場合に当該領収書情報についての領収書の発行指示を前記発行装置に出力する領収書発行システム。
【請求項１７】
前記端末装置は、
前記媒体受付装置が前記第１価値交換媒体を受領したときに、前記第１価値交換媒体を受領したことに基づき前記媒体受付装置の前記出力部から出力される前記第１価値交換媒体受領信号を受信して、受領した前記第１価値交換媒体に基づく前記第１金額情報を少なくとも含む前記領収書情報を前記端末装置の前記領収書情報出力部から出力し、
前記端末装置が前記第２価値交換媒体を受領したときに、受領した前記第２価値交換媒体に基づく前記第２金額情報を少なくとも含む前記領収書情報を前記端末装置の前記領収書情報出力部から出力する請求項１６に記載の領収書発行システム。
【請求項１８】
前記領収書発行制御部は、前記発行対象の領収書情報についての領収書の発行指示を前記発行装置に出力すると共に、前記発行対象の領収書情報に対応する端末装置に対して前記第２モードから前記第１モードへの切り替えを指示するモード切替信号を出力し、
前記複数の端末装置のそれぞれは、前記モード切替信号を受信したときに前記第２モードから前記第１モードへの切り替えを実行する
請求項１６および１７のいずれかに記載の領収書発行システム。
【請求項１９】
前記複数の端末装置のそれぞれは、前記第１モードから前記第２モードに切り替わってから所定の時間経過したときに、前記第２モードから前記第１モードに切り替わるように構成された請求項１６乃至１８のいずれかに記載の領収書発行システム。
【請求項２０】
前記領収書発行制御部は、
受信した前記領収書情報の前記第１金額情報および前記第２金額情報がゼロ値である場合には、前記記憶部に記憶されている領収書情報を、受信した領収書情報に更新して記憶し、
受信した前記領収書情報の前記第１金額情報および前記第２金額情報の少なくともいずれかが非ゼロ値である場合には、前記記憶部に記憶されている領収書情報の第１金額情報および前記第２金額情報のそれぞれと前記受信した領収書情報の前記第１金額情報および前記第２金額情報のそれぞれとを合算し、前記記憶部に記憶されている領収書情報をこの合算された第１および第２金額情報を含む領収書情報に更新して記憶する請求項１６乃至１９のいずれかに記載の領収書発行システム。
【発明の詳細な説明】
【技術分野】
【０００１】
本発明は、支払われる利用金額に応じて稼働する機器の利用に基づく領収書を発行する領収書発行方法および領収書発行システムに関する。
【背景技術】
【０００２】
利用金額の支払いに応じて稼働する機器としては、例えば、コインランドリー店舗に設置された自動洗濯機、自動洗濯乾燥機、自動乾燥機等のランドリー機器がある。利用者はこれら機器のうちのいずれかを選択して、利用することになる。ランドリー機器の利用に際して、利用者は、ランドリー機器の利用金額を支払うことにより、ランドリー機器を利用することができる。ランドリー機器の利用金額の支払方法に関しては、現金、プリペイドカードや電子マネーなどの前払式支払手段、ランドリー機器の利用に応じて付与されるサービスポイントなどによる支払方法が知られている。
【０００３】
特許文献１の「カード式制御手段」は、投入されるコインを検出するコイン検出手段を備え、入力端子を介して検出手段の出力を受けて所定金額のコインが投入されると運転を行う電気機器に離脱可能に設置されるカード式制御装置であって、磁気カードの引き込みと排出を行う手段と、引き込んだカードに対して金額情報の読取りと書き込みを行う手段と、読取った金額情報を表示する手段と、運転開始指令を入力する手段と、運転開始指令が入力されると引き込んだカードの金額情報を所定金額だけ減算した金額に書換えた後にコイン検出手段の出力に対応する信号を出力する制御手段と、制御手段の信号出力を前記入力端子に離脱可能に接続する接続手段を備えている。この「カード式制御手段」では、コイン（現金）およびカードに記憶された金額情報（プリペイドカードなどの前払式支払手段に相当）のいずれか、または、コインおよびカードの金額情報の併用によって電気機器（ランドリー機器に相当）の利用金額が支払うことができる、とされている（請求項１、第８欄第８行目〜第９欄第１５行目、図１、図８）
【０００４】
特許文献２の「コインランドリーシステム」は、電子マネーカードを発行するカード発行装置と、該カード発行装置から発行された電子マネーカードを挿入して使用する洗濯機と、該カード発行装置から発行された電子マネーカードを挿入して使用する乾燥機と、を備えたコインランドリーシステムであって、該カード発行装置には、硬貨投入口から投入された硬貨の金額を検出しその金額データを出力する硬貨処理部と、該硬貨処理部から電子マネーカードの購入料金の入金信号を入力したとき、未使用の電子マネーカードを送出するカード送出部と、紙幣挿入口から挿入された紙幣の金額を検出してその金額データを出力する紙幣処理部と、カード挿入口から挿入された電子マネーカードに前記紙幣挿入口から挿入された紙幣の金額だけ金額データを加算して書き込むカードリーダライタと、が設けられ、前記洗濯機には、カード挿入口から挿入された電子マネーカードから金額データを読み出し、該金額データから洗濯料金を減算し、残額を該電子マネーカードに書き込むカードリーダライタと、該カードリーダライタから入金信号を入力したとき該洗濯機の洗濯動作を許可する洗濯機コントローラと、が設けられ、前記乾燥機には、カード挿入口から挿入された電子マネーカードから金額データを読み出し、該金額データから乾燥料金を減算し、残額を該電子マネーカードに書き込むカードリーダライタと、該カードリーダライタから入金信号を入力したとき該乾燥機の洗濯動作を許可する乾燥機コントローラと、が設けられている。この「コインランドリーシステム」では、カード発行装置において、紙幣挿入口から挿入された紙幣の金額に応じた金額データを電子マネーカードに書き込み、この電子マネーカードに書き込まれた金額データにより利用金額を支払うことによって洗濯機や乾燥機を利用することができる、とされている（請求項１、段落００１１〜段落００３０、図１、図８）
【先行技術文献】
【特許文献】
【０００５】
【特許文献１】特開平０４−０３６８９２号公報
【特許文献２】特開２００２−３１２８４７号公報
【発明の開示】
【発明が解決しようとする課題】
【０００６】
近年、上記のようなコインランドリー店舗に関しては、個人だけでなく、会社、法人および個人事務所などの団体が利用するケースが増加している。しかしながら、特許文献１の「カード式制御手段」および特許文献２の「コインランドリーシステム」では、ランドリー機器の利用に基づいた領収書または利用証明書を発行する機能を有していない。そのため、ランドリー機器の利用者が領収書を必要とする場合、ランドリー機器を利用したことを店舗運営者に連絡する手間が必要となる問題がある。また、ランドリー機器の利用者は、ランドリー店舗で領収書を持参する店舗運営者を待つ、もしくは、後日店舗運営者から郵送された領収書を受け取るなど、領収書を入手できるまで時間が必要となるという問題がある。さらに、店舗運営者は、ランドリー機器の利用者の申告に基づいて領収書を作成するため、その申告の正誤を確認することができないという問題がある。
また、店舗運営者は、ランドリー機器の利用者から領収書の発行依頼を受ける度に領収書を作成し、ランドリー店舗に持参する、もしくは、当該利用者に郵送するなどの労力および時間が必要となるという問題がある。
【０００７】
そこで本発明は上記問題点を鑑みてなされたものであり、その目的とするところは、店舗運営者およびランドリー機器の利用者それぞれが労力および時間を必要とすることなく、機器の利用に対する領収書を容易かつ簡便に発行することができる領収書発行方法および領収書発行システムを提供することにある。
【課題を解決するための手段】
【０００８】
この目的を達成するため、本発明は以下のように構成される。
【０００９】
本発明の第１の領収書発行方法は、支払われる金額に応じて稼働を可能とする複数の機器のそれぞれにおいて支払われた当該金額についての領収書を発行する領収書発行方法であって、前記複数の機器のそれぞれに対応して配置された複数の端末装置において前記金額が受領されたか否かをそれぞれ判定する行程と、前記複数の端末装置の少なくとも一の端末装置において前記金額が受領されたと判定されたときに当該端末装置が受領された前記金額に基づく領収書情報を出力する行程と、前記複数の端末装置のそれぞれと通信可能な上位装置において前記領収書情報を記憶する工程と、前記上位装置において領収書発行要求を受け付けたか否かを判定する工程と、前記上位装置において前記領収書発行要求を受け付けたときに前記領収書情報についての領収書発行指示を出力する工程と、前記上位装置において前記領収書発行指示に基づいて前記領収書情報についての領収書を発行する工程と、を備える領収書発行方法である。これにより、複数の機器のそれぞれの利用に対する領収書を発行することができる。したがって、店舗運営者およびランドリー機器の利用者それぞれが、労力および時間を必要とすることなく、領収書を発行することが可能となる。また、機器の利用に対する領収書を容易かつ簡便に発行することが可能となる。
【００１０】
本発明の第１の領収書発行方法では、前記領収書情報には、受領した前記金額を示す金額情報および前記金額を受領した端末装置と該端末装置が配置された機器とのいずれかを示す識別情報が少なくとも含まれる。
【００１１】
本発明の第１の領収書発行システムは、支払われる金額に応じて稼働を可能とする複数の機器のそれぞれに対応して配置された複数の端末装置と、前記複数の端末装置のそれぞれに対して通信可能な上位装置と、を備え、前記複数の端末装置のそれぞれは、前記金額を受領したときに受領した前記金額に基づく領収書情報を出力する領収書情報出力部を有し、前記上位装置は、受信した前記領収書情報を記憶する記憶部と、領収書の発行要求を受け付ける入力装置と、領収書の発行指示を出力する領収書発行制御部と、前記発行指示に基づいて領収書を発行する発行装置と、を有し、前記領収書発行制御部は、前記記憶部を参照して、前記記憶部に記憶された前記領収書情報のうち、入力された前記発行要求に応じた前記領収書情報を発行対象として選択し、選択された前記発行対象の領収書情報についての領収書の発行指示を前記発行装置に出力する領収書発行システムである。これにより、複数の機器のそれぞれの利用に対する領収書を発行することができる。したがって、店舗運営者およびランドリー機器の利用者それぞれが、労力および時間を必要とすることなく、領収書を発行することが可能となる。また、機器の利用に対する領収書を容易かつ簡便に発行することが可能となる。
【００１２】
本発明の第１の領収書発行システムでは、前記領収書情報には、受領した前記金額を示す金額情報および前記金額を受領した端末装置と該端末装置が配置された機器とのいずれかを示す識別情報が少なくとも含まれる。
【００１３】
本発明の第２の領収書発行システムは、支払われる金額に応じて稼働を可能とする複数の機器のそれぞれに対応して配置された複数の端末装置と、前記複数の端末装置のそれぞれに対して通信可能な上位装置と、を備え、前記複数の端末装置のそれぞれは、前記金額を受領したときに受領した前記金額を示す金額情報および前記金額を受領した端末装置と該端末装置が配置された機器とのいずれかを示す識別情報を少なくとも含む領収書情報を出力する領収書情報出力部を有し、前記金額情報にゼロ値がセットされた前記領収書情報を前記領収書情報出力部から出力する第１モードと、前記金額情報に非ゼロ値がセットされた前記領収書情報を前記領収書情報出力部から出力する第２モードとを切り替え可能に構成され、前記上位装置は、受信した前記領収書情報を記憶する記憶部と、領収書の発行要求を受け付ける入力装置と、領収書の発行指示を出力する領収書発行制御部と、前記発行指示に基づいて領収書を発行する発行装置と、を有し、前記領収書発行制御部は、前記記憶部を参照して、前記記憶部に記憶された前記領収書情報のうち、入力された前記発行要求に対応する前記領収書情報を発行対象として選択し、選択された前記発行対象の領収書情報の金額情報が非ゼロ値である場合に当該領収書情報についての領収書の発行指示を前記発行装置に出力する領収書発行システムである。これにより、複数の機器のそれぞれの利用に対する領収書を発行することができる。したがって、店舗運営者およびランドリー機器の利用者それぞれが、労力および時間を必要とすることなく、領収書を発行することが可能となる。また、機器の利用に対する領収書を容易かつ簡便に発行することが可能となる。
【００１４】
本発明の第２の領収書発行システムでは、前記領収書発行制御部は、前記発行対象の領収書情報についての領収書の発行指示を前記発行装置に出力すると共に、前記発行対象の領収書情報に対応する端末装置に対して前記第２モードから前記第１モードへの切り替えを指示するモード切替信号を出力し、前記複数の端末装置のそれぞれは、前記モード切替信号を受信したときに前記第２モードから前記第１モードへの切り替えを実行する。
【００１５】
本発明の第２の領収書発行システムでは、前記複数の端末装置のそれぞれは、前記第１モードから前記第２モードに切り替わってから所定の時間経過したときに、前記第２モードから前記第１モードに切り替わるように構成されている。
【００１６】
本発明の第２の領収書発行システムでは、前記領収書発行制御部は、受信した前記領収書情報の前記金額情報がゼロ値である場合には、前記記憶部に記憶されている領収書情報を、受信した領収書情報に更新して記憶し、受信した前記領収書情報の前記金額情報が非ゼロ値である場合には、前記記憶部に記憶されている領収書情報と受信した領収書情報とのそれぞれに含まれる金額情報を合算し、前記記憶部に記憶されている領収書情報をこの合算された金額情報を含む領収書情報に更新して記憶する。
【００１７】
本発明の第３の領収書発行システムは、支払われる金額に応じて稼働を可能とする複数の機器のそれぞれに対応して配置された複数の端末装置と、前記複数の端末装置のそれぞれに対して通信可能な上位装置と、を備え、前記複数の端末装置のそれぞれは、前記金額を受領したときに受領した前記金額に基づく領収書情報を出力する領収書情報出力部を有し、前記領収書情報を前記領収書情報出力部から出力することを規制する第１モードと、前記領収書情報を前記領収書情報出力部から出力する第２モードとを切り替え可能に構成され、前記上位装置は、受信した前記領収書情報を記憶する記憶部と、領収書の発行要求を受け付ける入力装置と、領収書の発行指示を出力する領収書発行制御部と、前記発行指示に基づいて領収書を発行する発行装置と、を有し、前記領収書発行制御部は、前記記憶部を参照して、前記記憶部に記憶された前記領収書情報のうち、入力された前記発行要求に応じた前記領収書情報を発行対象として選択し、選択された前記発行対象の領収書情報についての領収書の発行指示を前記発行装置に出力する領収書発行システムである。これにより、複数の機器のそれぞれの利用に対する領収書を発行することができる。したがって、店舗運営者およびランドリー機器の利用者それぞれが、労力および時間を必要とすることなく、領収書を発行することが可能となる。また、機器の利用に対する領収書を容易かつ簡便に発行することが可能となる。
【００１８】
本発明の第３の領収書発行システムでは、前記領収書発行制御部は、前記発行対象の領収書情報についての領収書の発行指示を前記発行装置に出力すると共に、前記発行対象の領収書情報に対応する端末装置に対して前記第２モードから前記第１モードへの切り替えを指示するモード切替信号を出力し、前記複数の端末装置のそれぞれは、前記モード切替信号を受信したときに前記第２モードから前記第１モードへの切り替えを実行する。
【００１９】
本発明の第３の領収書発行システムでは、前記複数の端末装置のそれぞれは、前記第１モードから前記第２モードに切り替わってから所定の時間経過したときに、前記第２モードから前記第１モードに切り替わるように構成されている。
【００２０】
本発明の第３の領収書発行システムでは、前記領収書情報には、受領した前記金額を示す金額情報および前記金額を受領した端末装置と該端末装置が配置された機器とのいずれかを示す識別情報が少なくとも含まれる。
【００２１】
本発明の第４の領収書発行システムは、支払われる金額に応じて稼働を可能とする複数の機器のそれぞれに対応して配置された第１価値交換媒体を受領可能な複数の媒体受付装置および第２価値交換媒体を受領可能な複数の端末装置と前記複数の端末装置のそれぞれに対して通信可能な上位装置と、を備え、前記複数の媒体受付装置のそれぞれは、前記第１価値交換媒体を受領したときに、対応する前記端末装置に対して第１価値交換媒体受領信号を出力する出力部を有し、前記複数の端末装置のそれぞれは、受信した前記第１価値交換媒体受領信号に応じた前記第１価値交換媒体および受領した前記第２価値交換媒体のそれぞれに基づく領収書情報を出力する領収書情報出力部を有し、前記上位装置は、受信した前記領収書情報を記憶する記憶部と、領収書の発行要求を受け付ける入力装置と、領収書の発行指示を出力する領収書発行制御部と、前記発行指示に基づいて領収書を発行する発行装置と、を有し、前記領収書発行制御部は、前記記憶部を参照して、前記記憶部に記憶された前記領収書情報のうち、入力された前記発行要求に応じた前記領収書情報を発行対象として選択し、選択された前記発行対象の領収書情報についての領収書の発行指示を前記発行装置に出力する領収書発行システムである。これにより、複数の機器のそれぞれの利用に対する領収書を発行することができる。したがって、店舗運営者およびランドリー機器の利用者それぞれが、労力および時間を必要とすることなく、領収書を発行することが可能となる。また、機器の利用に対する領収書を容易かつ簡便に発行することが可能となる。
【００２２】
本発明の第４の領収書発行システムでは、前記端末装置は、前記媒体受付装置が前記第１価値交換媒体を受領したときに、前記第１価値交換媒体を受領したことに基づき前記媒体受付装置の前記出力部から出力される前記第１価値交換媒体受領信号を受信することによって、前記端末装置の前記領収書情報出力部から前記領収書情報を出力し、前記端末装置が前記第２価値交換媒体を受領したときに、前記第２価値交換媒体を受領したことに基づき、前記端末装置の前記領収書情報出力部から前記領収書情報を出力する。
【００２３】
本発明の第４の領収書発行システムでは、前記領収書情報は、受領した前記第１価値交換媒体を示す第１金額情報、受領した前記第２価値交換媒体を示す第２金額情報、および、少なくとも前記第１価値交換媒体と前記第２価値交換媒体とのいずれかを受領した端末装置と該端末装置が配置された機器とのいずれかを示す識別情報が少なくとも含まれる。
【００２４】
本発明の第５の領収書発行システムは、支払われる金額に応じて稼働を可能とする複数の機器のそれぞれに対応して配置された第１価値交換媒体を受領可能な複数の媒体受付装置および第２価値交換媒体を受領可能な複数の端末装置と、前記複数の端末装置のそれぞれに対して通信可能な上位装置と、を備え、前記複数の媒体受付装置のそれぞれは、前記第１価値交換媒体を受領したときに、対応する前記端末装置に対して第１価値交換媒体受領信号を出力する出力部を有し、前記複数の端末装置のそれぞれは、受領した前記第１価値交換媒体を示す第１金額情報、受領した前記第２価値交換媒体を示す第２金額情報、および、前記第１価値交換媒体を受領した媒体受付装置と前記第２価値交換媒体を受領した端末装置に対応する機器および当該機器に対応する当該端末装置とのいずれかを示す識別情報を含む領収書情報を出力する領収書情報出力部を有し、前記第１金額情報および前記第２金額情報にゼロ値がセットされた前記領収書情報が出力される第１モードと、少なくとも前記第１金額情報および前記第２金額情報のいずれかに非ゼロ値がセットされた前記領収書情報が出力される第２モードとを切り替え可能に構成され、前記上位装置は、受信した前記領収書情報を記憶する記憶部と、領収書の発行要求を受け付ける入力装置と、領収書の発行指示を出力する領収書発行制御部と、前記発行指示に基づいて領収書を発行する発行装置と、を有し、前記領収書発行制御部は、前記記憶部を参照して、前記記憶部に記憶された前記領収書情報のうち、入力された前記発行要求に対応する前記領収書情報を発行対象として選択し、選択された前記発行対象の領収書情報の第１金額情報および前記第２金額情報のうち少なくとも一方が非ゼロ値である場合に当該領収書情報についての領収書の発行指示を前記発行装置に出力する領収書発行システムである。これにより、複数の機器のそれぞれの利用に対する領収書を発行することができる。したがって、店舗運営者およびランドリー機器の利用者それぞれが、労力および時間を必要とすることなく、領収書を発行することが可能となる。また、機器の利用に対する領収書を容易かつ簡便に発行することが可能となる。
【００２５】
本発明の第５の領収書発行システムでは、前記端末装置は、前記媒体受付装置が前記第１価値交換媒体を受領したときに、前記第１価値交換媒体を受領したことに基づき前記媒体受付装置の前記出力部から出力される前記第１価値交換媒体受領信号を受信して、受領した前記第１価値交換媒体に基づく前記第１金額情報を少なくとも含む前記領収書情報を前記端末装置の前記領収書情報出力部から出力し、前記端末装置が前記第２価値交換媒体を受領したときに、受領した前記第２価値交換媒体に基づく前記第２金額情報を少なくとも含む前記領収書情報を前記端末装置の前記領収書情報出力部から出力する。
【００２６】
本発明の第５の領収書発行システムでは、前記領収書発行制御部は、前記発行対象の領収書情報についての領収書の発行指示を前記発行装置に出力すると共に、前記発行対象の領収書情報に対応する端末装置に対して前記第２モードから前記第１モードへの切り替えを指示するモード切替信号を出力し、前記複数の端末装置のそれぞれは、前記モード切替信号を受信したときに前記第２モードから前記第１モードへの切り替えを実行する。
【００２７】
本発明の第５の領収書発行システムでは、前記複数の端末装置のそれぞれは、前記第１モードから前記第２モードに切り替わってから所定の時間経過したときに、前記第２モードから前記第１モードに切り替わるように構成されている。
【００２８】
本発明の第５の領収書発行システムでは、前記領収書発行制御部は、受信した前記領収書情報の前記第１金額情報および前記第２金額情報がゼロ値である場合には、前記記憶部に記憶されている領収書情報を、受信した領収書情報に更新して記憶し、受信した前記領収書情報の前記第１金額情報および前記第２金額情報の少なくともいずれかが非ゼロ値である場合には、前記記憶部に記憶されている領収書情報の第１金額情報および前記第２金額情報のそれぞれと前記受信した領収書情報の前記第１金額情報および前記第２金額情報のそれぞれとを合算し、前記記憶部に記憶されている領収書情報をこの合算された第１および第２金額情報を含む領収書情報に更新して記憶する。
【発明の効果】
【００２９】
本発明の領収書発行方法および領収書発行システムでは、各店舗において複数の機器のそれぞれの利用に対する領収書を発行することができるので、店舗運営者およびランドリー機器の利用者それぞれが、労力および時間を必要とすることなく、領収書を発行することができる、また、機器の利用に対する領収書を容易かつ簡便に発行することができる、という効果が得られる。
【図面の簡単な説明】
【００３０】
【図１】本発明の一実施形態の領収書発行システムを示す概略図である。
【図２】図１の領収書発行システムを構成する機器の一例を示す、自動乾燥機の概略正面図である。
【図３】図２の自動乾燥機の概略ブロック図である。
【図４】図１の領収書発行システムを構成する端末装置の概略ブロック図である。
【図５】図１の領収書発行システムを構成する上位装置の概略正面図である。
【図６】図５の複合装置における上位装置の概略ブロック図である。
【図７】図６の上位装置の記憶装置に記憶される金額受領情報の一例を示す概略図である。
【図８】図６の上位装置の記憶部に記憶される領収書情報の一例を示す概略図である。
【図９】図６の上位装置の動作を示すフローチャートである。
【図１０】図１の領収書発行システムの動作の一例を示す、現金で機器を稼働させ、かつ、領収書を発行しない場合のシーケンス図である。
【図１１】図１の領収書発行システムの動作の一例を示す、電子マネーで機器を稼働させ、かつ、領収書を発行しない場合のシーケンス図である。
【図１２】図１の領収書発行システムの動作の一例を示す、現金および電子マネーで機器を稼働させ、かつ、領収書を発行しない場合のシーケンス図である。
【図１３】図１の領収書発行システムの動作の一例を示す、現金で機器を稼働させ、かつ、領収書を発行する場合のシーケンス図である。
【図１４】図１の領収書発行システムの動作の一例を示す、電子マネーで機器を稼働させ、かつ、領収書を発行する場合のシーケンス図である。
【図１５】図１の領収書発行システムの動作の一例を示す、現金および電子マネーで機器を稼働させ、かつ、領収書を発行する場合のシーケンス図である。
【図１６】図１の領収書発行システムの動作の一例を示す、現金および電子マネーで機器を稼働させ、かつ、領収書発行受付時間を徒過した場合のシーケンス図である。
【図１７】図３の機器の動作を示すフローチャートである。
【図１８】図４の端末装置の動作を示すフローチャートである。
【図１９】図１８の第１受領処理ステップの詳細を示すフローチャートである。
【図２０】図１８の第２受領処理ステップの詳細を示すフローチャートである。
【図２１】図６の上位装置の領収書発行の動作を示すフローチャートである。
【発明を実施するための形態】
【００３１】
以下、本発明の実施の形態について、添付図面を参照しながら説明する。
【００３２】
（全体構成）
図１は、本発明の一実施形態の領収書発行システム８を含んで構成される機器管理システム１を示す。機器管理システム１は、コインランドリー店舗３０に設置されたコインランドリー用の機器２の利用を管理するためのものである。機器管理システム１は、支払われた金額に応じて所定時間稼働する複数の機器２と、それら複数の機器２のそれぞれに対応して配置された複数の端末装置４と、複数の端末装置４のそれぞれに対して通信可能であると共に公衆ネットワークＧＮに接続された上位装置５と、公衆ネットワークＧＮに接続された機器管理システム１を管理する遠隔管理装置１０と、を含んでいる。領収書発行システム８は、コインランドリー店舗３０に設置された機器２の利用に基づく領収書を発行するためのものである。領収書発行システム８は、機器管理システム１の複数の機器２、複数の端末装置４および上位装置５を含んでいる。
【００３３】
なお、実際には複数のコインランドリー店舗３０を含んで構成されるが、ここでは説明を簡略化するため１つのコインランドリー店舗３０のみがあるものとする。また、本実施形態では、上位装置５として、ＩＣカード発行チャージ機としての機能を併せ持つ複合装置が使用されるものとして説明する。さらに、遠隔管理装置１０は、ＣＰＵ、メモリ、ハードディスクドライブおよび表示装置等を有するパーソナルコンピュータ、または、ＣＰＵ、メモリ、ソリッドステートドライブおよび表示装置等を有する携帯端末装置である。
【００３４】
（機器）
まず、図１〜図３を参照しながら、コインランドリー店舗３０に設置される機器２について説明する。機器２としては、所定の単位金額ＵＣに基づいて作動する自動洗濯乾燥機２ａ、２ｄ、自動洗濯機２ｂ、２ｅおよび自動乾燥機２ｃが設置されている。ここでは、機器２の一例として、自動乾燥機２ｃについて説明する。
【００３５】
図２に示すように、自動乾燥機２ｃは、前板１０３を有する箱形の筐体１０２を備えている。前板１０３の中央部には、衣類等の乾燥対象物を出し入れ可能な円形の開口１０４が形成されると共に、開口１０４を覆う円形の扉１０６が開閉可能に取り付けられている。筐体１０２の内部には箱形の乾燥室１１２が形成されており、乾燥室１１２の内部には乾燥対象物が投入される円筒状のドラム１１４が配置されている。ドラム１１４は横倒し状態で配置され、筐体１０２の開口１０４と同心且つ相対する開口１１４ａを有している。ドラム１１４の周壁１１４ｂには複数の貫通孔（図示せず）が形成されており、それら複数の貫通孔を介してドラム１１４の内部空間と乾燥室１１２の内部空間とが連通している。ドラム１１４の背面側は後壁１１４ｃにより閉鎖されており、後壁１１４ｃの中央部には外方（換言すれば、筐体１０２の背面側）へ向けて突出する円柱状の回転軸１１５が設けられている。
【００３６】
筐体１０２の下部には、自動乾燥機２ｃの駆動部４４が配置されている。駆動部４４は、モータ１１６、送風機１１７および加熱器１２０を含んでいる。モータ１１６の出力軸１１６ａとドラム１１４の回転軸１１５との間にはベルト１１９が張設されており、モータ１１６の回転駆動力がベルト１１９を介してドラム１１４に伝達される。送風機１１７は、送風機用モータ１１８によって駆動され、加熱器１２０に向けて気流を排出する。加熱器１２０は、送風機１１７から排出された気流を加熱し、加熱された気流を乾燥室１１２に導入する。自動乾燥機２ｃの作動時には、モータ１１６によってドラム１１４が回転され、送風機１１７および加熱器１２０によって乾燥室１１２の内部に加熱された気流が送り込まれる。加熱された気流はドラム１１４の周壁１１４ｂに形成された貫通孔を介してドラム１１４の内部に導入され、ドラム１１４に収納された乾燥対象物が温められて乾燥される。
【００３７】
筐体１０２の前板１０３の上部には、表示装置１０８、操作ボタン１１０および硬貨選別装置３が配置されている。表示装置１０８には支払われた金額の合計金額（以下、受領金額ＲＶという。）や自動乾燥機２ｃの作動状態などが表示され、操作ボタン１１０を押下することにより自動乾燥機２ｃの作動が開始される。硬貨選別装置３は、硬貨投入口１２２に投入された硬貨ＣＮの真偽および金種を判別し、偽貨を硬貨返却口１２６に返却し、正貨を筐体１０２内に配置された金庫１２８に保留する。硬貨選別装置３は返却レバー１２４を有しており、返却レバー１２４を操作することにより投入された硬貨ＣＮが硬貨返却口１２６に返却される。また、硬貨選別装置３は、図３に示すように、投入された正貨に対応する現金検出信号Ｓｃ１を出力する現金検出信号発生部２３２を有している。硬貨選別装置３は、硬貨投入口１２２に投入された硬貨ＣＮを１枚ずつ受け付けると共に、受け付けた硬貨ＣＮ毎に当該硬貨ＣＮに基づく金額（以下、第１単位金額ＵＶ１という。）に対応する現金検出信号Ｓｃ１を出力する硬貨受付装置３Ａとして機能する。硬貨選別装置３は、硬貨投入口１２２に投入された硬貨を１枚ずつ受け付けることよって、機器２に第１単位金額ＵＶ１を受け付けたとして、現金検出信号発生部２３２から現金検出信号Ｓｃ１を出力する。なお、本実施例において、複数の自動乾燥機２ｃ（機器２）のそれぞれは、硬貨選別装置３を含んで構成されているが、例えば複数の機器２のそれぞれは、硬貨選別装置３の代わりに紙幣受付装置を含んで構成することも出来る。また、複数の機器２のそれぞれは、硬貨選別装置３および紙幣受付装置の両方を有して構成されることも出来る。さらに、複数の機器２のそれぞれは、店舗オーナーなどが発行するメダルなどの代替貨幣（トークン）によって稼動するように構成することもできる。なお、以下の説明において説明を簡略化するために、機器２に設けられる硬貨選別装置３および紙幣受付装置を総称して現金受付装置３と記載し、機器２を稼動させるために支払われる硬貨、紙幣および代替貨幣を総称して現金ＣＮと記載する。また、以下の説明において説明を簡略化するために、硬貨ＣＮ、紙幣および代替貨幣による支払いに基づく機器２の利用をまとめて現金による支払いに基づく機器２の利用として説明する。
【００３８】
筐体１０２内の左上部には、自動乾燥機２ｃの動作を制御する機器制御装置４０が配置されている。機器制御装置４０は、図３に示すように、主制御部２０２、記憶装置２０４、駆動制御部２０６、入出力制御部２０８および金額確定部２１０を含んでいる。主制御部２０２は、自動乾燥機２ｃの動作を実行可能とするため、記憶装置２０４に記憶された稼働条件ＯＣに従って、駆動制御部２０６を制御する。稼働条件ＯＣには、単位金額ＵＣ毎に予め設定された稼働可能な時間が含まれる。
【００３９】
駆動制御部２０６は、主制御部２０２の指令に従って、モータ１１６の回転のオン／オフを制御すると共に、送風機用モータ１１８の回転のオン／オフを制御する。また、駆動制御部２０６は、加熱器１２０のオン／オフを制御し、乾燥室１１２の内部温度が所定値に保持されるようにする。入出力制御部２０８は、主制御部２０２の指令に従って表示装置１０８に所定の情報を表示すると共に、操作ボタン１１０の操作に応じた操作情報を主制御部２０２に対して出力する。
【００４０】
金額確定部２１０は、後述する端末装置４の金額受領信号出力部２４５から出力された金額受領信号Ｓｃ２が入力される毎に、当該金額受領信号Ｓｃ２に基づいて現金受付装置３および端末装置４のそれぞれで受領した金額を確定し、当該金額を含む確定金額情報Ｄｃｒを主制御部２０２に出力する。
換言すれば、金額確定部２１０は、現金受付装置３で受け付けた現金ＣＮに基づく第１単位金額ＵＶ１および端末装置４で受領した電子マネーに基づく後述する第２単位金額ＵＶ２のそれぞれの金額を確定する。主制御部２０２は、入力された確定金額情報Ｄｃｒに基づいて、第１単位金額ＵＶ１および第２単位金額ＵＶ２の合計金額である受領金額ＲＶを算出し、該受領金額ＲＶを入出力制御部２０８に出力すると共に、受領金額ＲＶが単位金額ＵＣ以上であるか否か（ＲＶ≧ＵＣ）を判断する。受領金額ＲＶが単位金額ＵＣ以上（ＲＶ≧ＵＣ）で、かつ、入出力制御部２０８から操作ボタン１１０の操作に応じた操作情報が入力されたときに、主制御部２０２は、記憶装置２０４に記憶された稼働条件ＯＣに従って駆動制御部２０６を制御する。すなわち、機器制御装置４０は、操作ボタン１１０が操作された時点で自動乾燥機２ｃの稼働を開始し、確定金額情報Ｄｃｒの単位金額ＵＣに対応する稼働可能時間Ｔｅｏが経過した時点で自動乾燥機２ｃの稼働を終了するよう駆動部４４を制御する。
【００４１】
自動洗濯乾燥機２ａ、２ｄおよび自動洗濯機２ｂ、２ｅは、自動乾燥機２ｃと同様に、現金受付装置３、操作ボタン１１０、表示装置１０８、機器制御装置４０および駆動部４４を含んで構成される。換言すれば、コインランドリー店舗３０に設置された複数の機器２のそれぞれは、少なくとも現金受付装置３、操作ボタン１１０、表示装置１０８、機器制御装置４０および駆動部４４を含んで構成される。
【００４２】
（端末装置）
次に、図１、図２および図４を参照しながら、端末装置４について説明する。端末装置４は、複数の機器２のそれぞれに対応して配置され、ＩＣカードＣＤを用いた所謂電子マネーでの機器２への支払いを可能とする。本実施形態では、ＩＣカードＣＤとして非接触型のＩＣカードが使用される。ＩＣカードＣＤには、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）などの不揮発性メモリを含む半導体集積回路（Ｉｎｔｅｇｒａｔｅｄ  Ｃｉｒｃｕｉｔ、以下、ＩＣという）１６が内蔵されている。ＩＣ１６には、少なくとも前払いした金額に関するチャージ金額ＣＶが記憶される。
【００４３】
図２に示すように、端末装置４は、正面視矩形の箱形の筐体１３０と、筐体１３０の正面に配置された表示装置１３４および操作ボタン１３６と、を有している。また、図４に示すように、端末装置４は、筐体１３０の内部にそれぞれ配置された、カード読取書込装置１３２、端末制御装置２４０、金額受領信号出力部２４５、現金検出信号入力部２４６および無線通信装置２６０をさらに有している。
【００４４】
表示装置１３４は、発光ダイオード、蛍光表示管、液晶パネル等を用いたセグメント型またはドット型の表示装置で構成される。表示装置１３４は、操作ボタン１３６の操作により設定されるＩＣカードＣＤがカード読取書込装置１３２にかざされたときに、ＩＣカードＣＤに記憶されたチャージ金額ＣＶから減算される金額（以下、第２単位金額ＵＶ２という。）、第２単位金額ＵＶ２が減算されたチャージ金額ＣＶの残額およびエラーなどの情報を表示する。
【００４５】
操作ボタン１３６は、ＩＣカードＣＤがカード読取書込装置１３２にかざされたときに、ＩＣカードＣＤに記憶されたチャージ金額ＣＶから減算する第２単位金額ＵＶ２を設定するために使用される。具体的には、端末制御装置２４０の記憶部２４４には予め複数の第２単位金額ＵＶ２が記憶されており、操作ボタン１３６を第１条件で押下する毎に複数の第２単位金額ＵＶ２のうちの一つが順次設定されると共に、表示装置１３４に設定された第２単位金額ＵＶ２が順次表示される。例えば、自動乾燥機２ｃの場合、１００円、２００円および３００円の第２単位金額ＵＶ２が記憶部２４４に記憶されており、操作ボタン１３６を１秒以下または１秒程度の押下時間で押下する毎に、「１００円」、「２００円」および「３００円」の順で第２単位金額ＵＶ２の設定切り替わると共に、表示装置１３４の表示が「１００」、「２００」および「３００」の順で切り替わり、さらに操作ボタン１３６を押下することにより第２単位金額ＵＶ２の設定が「１００円」に戻ると共に「１００」の表示に戻り、以後同様の設定および表示の切り替えがなされる。
【００４６】
また、操作ボタン１３６は、端末装置４の運転モードを切り替えるために使用される。端末装置４は、上記した第２単位金額ＵＶ２の設定変更の場合と異なる第２条件で操作ボタン１３６が押下されたときに、運転モードが切り替えられる。端末装置４は、端末制御装置２４０の主制御部２４２が、ゼロ値に設定された領収書情報ＣＲＩ２を出力する第１モードＭ１と、機器２の利用に基づく領収書情報ＣＲＩ２を出力する第２モードＭ２とのそれぞれを実行可能に構成されている。例えば、端末装置４は、操作ボタン１３６が１秒以上の押下時間で押下（長押し）されたときに、運転モードを第１モードＭ１から第２モードＭ２に切り替えられる。換言すれば、操作ボタン１３６が１秒以上長押しされたときに、端末装置４の端末制御装置２４０の主制御部２４２は第２モードＭ２を実行する。
【００４７】
カード読取書込装置１３２は、カード読取書込装置１３２のアンテナコイル（図示せず）と、カード読取書込装置１３２にかざされたＩＣカードＣＤのアンテナコイル（図示せず）とが、電磁誘導によって結合することにより、ＩＣカードＣＤのＩＣ１６に対し情報の読み取りまたは書き込みを実行する。すなわち、カード読取書込装置１３２は、ＩＣカードＣＤに記憶されたチャージ金額ＣＶを読み取る。また、カード読取書込装置１３２は、端末制御装置２４０の金額演算部２５６により演算されたチャージ金額ＣＶを書き込む。
【００４８】
端末制御装置２４０は、図４に示すように、主制御部２４２、記憶部２４４、表示制御部２４８、入力制御部２５０、読取書込制御部２５２、金額受領可否判定部２５４、金額演算部２５６、金額受領情報出力部２５８および領収書情報出力部２５９を含んで構成される。主制御部２４２は、記憶部２４４に対して各種情報の入出力を実行すると共に、端末装置４の所定の機能を実現するために表示制御部２４８、入力制御部２５０、読取書込制御部２５２、金額受領可否判定部２５４、金額演算部２５６、金額受領情報出力部２５８、領収書情報出力部２５９、金額受領信号出力部２４５および現金検出信号入力部２４６を動作させる。また、主制御部２４２は、機器２の利用に基づく領収書情報ＣＲＩ２を出力しない第１モードＭ１と領収書情報ＣＲＩ２を出力する第２モードＭ２とのそれぞれを実行する。
【００４９】
記憶部２４４は、少なくとも、端末装置４を特定可能な端末識別情報ＴＩＤと、操作ボタン１３６の操作に応じて設定可能な複数の第２単位金額ＵＶ２と、を記憶する。端末識別情報ＴＩＤは、複数の機器２に対応する複数の端末装置４のいずれか一つを特定可能な情報であって、例えば、端末識別番号などが使用される。
【００５０】
表示制御部２４８は、主制御部２４２から出力された表示情報に基づいて表示装置１３４を制御し、表示装置１３４に各種情報を表示させる。すなわち、記憶部２４４に記憶された複数の第２単位金額ＵＶ２のうちのいずれか一つが主制御部２４２から表示制御部２４８に出力され、表示制御部２４８が当該第２単位金額ＵＶ２を表示装置１３４に表示する。また、後述の金額受領可否判定部２５４により金額受領が不可と判定された場合には、チャージ金額ＣＶの残高不足を示す情報が主制御部２４２から表示制御部２４８に出力され、表示制御部２４８が当該残高不足を示す情報を表示装置１３４に表示する。さらに、後述の金額受領可否判定部２５４により金額受領が可と判定された場合には、第２単位金額ＵＶ２が減算されたチャージ金額ＣＶの残高が主制御部２４２から表示制御部２４８に出力され、表示制御部２４８が減算後のチャージ金額ＣＶを表示装置１３４に表示する。さらに、主制御部２４２が第２モードＭ２を実行しているときには、記憶部２４４に記憶された端末識別情報ＴＩＤが主制御部２４２から表示制御部２４８に出力され、表示制御部２４８が当該端末識別情報ＴＩＤを表示装置１３４に表示する。
【００５１】
入力制御部２５０は、操作ボタン１３６の操作に応じた入力情報を主制御部２４２に出力する。換言すれば、操作ボタン１３６が押下される毎に、入力制御部２５０が入力情報を主制御部２４２に出力する。前述の通り、主制御部２４２に第１条件で操作ボタン１３６を押下した入力情報が入力されると、主制御部２４２は記憶部２４４に記憶された複数の第２単位金額ＵＶ２のうちのいずれか一つを設定すると共に、表示装置１３４には当該第２単位金額ＵＶ２が表示される。すなわち、第１条件の入力情報が主制御部２４２に入力される毎に、主制御部２４２は第２単位金額ＵＶ２の設定を順次変更すると共に、主制御部２４２が表示制御部２４８を制御することにより、表示装置１３４に表示される第２単位金額ＵＶ２が順次変更される。また、主制御部に第２条件で操作ボタン１３６を押下した入力情報が入力されると、主制御部２４２は第２モードＭ２を実行すると共に、表示制御部２４８を制御して表示装置１３４に端末識別情報ＴＩＤを表示させる。
【００５２】
読取書込制御部２５２は、カード読取書込装置１３２を制御して、ＩＣカードＣＤからチャージ金額ＣＶを読み出して主制御部２４２に出力すると共に、金額演算部２５６における演算後のチャージ金額ＣＶが主制御部２４２から出力された場合に当該チャージ金額ＣＶをカード読取書込装置１３２に出力する。
【００５３】
金額受領可否判定部２５４は、主制御部２４２から第２単位金額ＵＶ２およびチャージ金額ＣＶが出力された場合に、第２単位金額ＵＶ２とチャージ金額ＣＶとを対比して第２単位金額ＵＶ２分の金額の受領の可否を判定する。すなわち、チャージ金額ＣＶが第２単位金額ＵＶ２以上（ＣＶ≧ＵＶ２）の場合に金額受領可否判定部２５４により第２単位金額ＵＶ２分の金額の受領が可能と判定され、チャージ金額ＣＶが第２単位金額ＵＶ２未満（ＣＶ＜ＵＶ２）の場合に金額受領可否判定部２５４により第２単位金額ＵＶ２分の金額の受領が不可と判定される。金額受領可否判定部２５４は、当該判定結果を主制御部２４２に出力する。
【００５４】
第２単位金額ＵＶ２分の金額の受領が可能との判定結果が主制御部２４２に入力された場合、主制御部２４２は、第２単位金額ＵＶ２および読み取られたチャージ金額ＣＶを金額演算部２５６に出力すると共に、第２単位金額ＵＶ２を支払われた金額（以下、第２受領金額ＲＶ２という。）として記憶部２４４に記憶された端末識別情報ＴＩＤと共に金額受領情報出力部２５８に出力する。また、主制御部２４２は、金額受領信号出力部２４５に対して、第２単位金額ＵＶ２（すなわち第２受領金額ＲＶ２）に対応する金額受領信号Ｓｃ２の出力指令を出力する。さらに、主制御部２４２が第２モードＭ２を実行している場合、主制御部２４２は第２受領金額ＲＶ２および端末識別情報ＴＩＤを領収書情報出力部２５９に出力する。他方、金額受領が不可との判定結果が主制御部２４２に入力された場合、主制御部はチャージ金額ＣＶの残高不足を示す情報を表示制御部２４８に出力する。これにより、表示装置１３４が残高不足を示す情報を表示する。この場合、主制御部２４２の金額受領情報出力部２５８に対する出力は実行されない。
【００５５】
金額演算部２５６は、第２単位金額ＵＶ２およびチャージ金額ＣＶが入力された場合に、チャージ金額ＣＶから第２単位金額ＵＶ２を減算し、当該減算結果を新たなチャージ金額ＣＶ（換言すれば、更新されたチャージ金額ＣＶ）として主制御部２４２に出力する。更新されたチャージ金額ＣＶは、主制御部２４２から読取書込制御部２５２に出力され、カード読取書込装置１３２によってＩＣカードＣＤに書き込まれる。
【００５６】
現金検出信号入力部２４６は、機器２の現金受付装置３の現金検出信号発生部２３２から出力される現金検出信号Ｓｃ１の入力を検出して検出信号ＤＳを主制御部２４２に出力する。主制御部２４２が入力された検出信号ＤＳを計数することにより、現金受付装置３に投入された現金ＣＮの金種および枚数を確認することができる。換言すれば、主制御部２４２は、検出信号ＤＳに基づいて現金受付装置３において支払われた第１単位金額ＵＶ１を取得する。
【００５７】
検出信号ＤＳに基づき第１単位金額ＵＶ１を確定した場合、上述したＩＣカードＣＤによる金額の支払い（換言すれば、電子マネーによる金額支払い）の場合と同様に、主制御部２４２は、金額受領信号出力部２４５に対して確定された第１単位金額ＵＶ１に対応する金額受領信号Ｓｃ２の出力を指令すると共に、確定された第１単位金額ＵＶ１および端末装置４の端末識別情報ＴＩＤを金額受領情報出力部２５８に出力する。また、主制御部２４２が第２モードＭ２を実行している場合、主制御部２４２は、検出信号ＤＳに基づいて確定された第１単位金額ＵＶ１および端末識別情報ＴＩＤを領収書情報出力部２５９に出力する。
【００５８】
金額受領信号出力部２４５は、主制御部２４２の指令に基づいて、金額受領信号Ｓｃ２を生成し、対応する機器２に出力する。すなわち、主制御部２４２から金額受領信号Ｓｃ２の出力指令が金額受領信号出力部２４５に入力されたときに、金額受領信号出力部２４５は当該出力指令に含まれる第１単位金額ＵＶ１または第２単位金額ＵＶ２に対応する金額受領信号Ｓｃ２を出力する。具体的には、機器２の現金受付装置３における現金ＣＮによる金額の支払いが行われた場合、換言すれば、機器２の現金受付装置３から第１単位金額ＵＶ１の受領に基づき現金検出信号Ｓｃ１が出力された場合、さらに換言すれば、現金検出信号Ｓｃ１の入力に基づいて現金検出信号入力部２４６から出力される検出信号ＤＳを主制御部２４２が検出した場合、金額受領信号出力部２４５は、主制御部２４２から出力される出力指令に含まれる第１単位金額ＵＶ１に対応する金額受領信号Ｓｃ２を出力する。また、上述したＩＣカードＣＤによる金額の支払いが行われた場合、換言すれば、電子マネーによる金額支払いが行われた場合に、金額受領信号出力部２４５は主制御部２４２から出力される出力指令に含まれる第２受領金額ＲＶ２に対応する金額受領信号Ｓｃ２を出力する。
【００５９】
また、上述したＩＣカードＣＤによる金額の支払い（換言すれば、電子マネーによる金額支払い）、および、上述した主制御部２４２で検出信号ＤＳの検出（換言すれば、機器２の現金受付装置３における現金ＣＮによる金額の支払い）がほぼ同時に行われた場合、主制御部２４２は、検出信号ＤＳの検出に基づいた金額受領信号Ｓｃ２と、ＩＣカードＣＤによる金額の支払いに基づいた金額受領信号Ｓｃ２とのいずれか一方を優先して機器２に出力すると共に、他方の信号の出力を停止し、当該優先した信号の出力が完了したあとに当該停止した信号を機器２に出力する。これにより、検出信号ＤＳの検出に基づいた金額受領信号Ｓｃ２と、ＩＣカードＣＤによる金額の支払いに基づいた金額受領信号Ｓｃ２とが同時に機器２の金額確定部２１０に入力されるのを防止でき、現金受付装置３を有する機器２に端末装置４を付加する場合であっても互換性を保つことができる。
【００６０】
図３および図４に示すように、機器２の現金受付装置３に現金ＣＮが投入されたとき、および、ＩＣカードＣＤによる金額の支払いが行われたときのそれぞれにおいて、金額受領信号Ｓｃ２は、主制御部２４２による金額受領信号Ｓｃ２の出力指令に基づいて金額受領信号出力部２４５から出力され、機器２の金額確定部２１０に入力される。詳細には、機器２の現金受付装置３に現金ＣＮが投入されたとき、検出信号ＤＳが、機器２の現金受付装置３から出力される現金検出信号Ｓｃ１に基づいて現金検出信号入力部２４６から出力されて主制御部２４２に入力され、金額受領信号Ｓｃ２が、検出信号ＤＳの入力に基づいて主制御部２４２から出力される金額受領信号Ｓｃ２の出力指令に基づいて金額受領信号出力部２４５から出力され、機器２の金額確定部２１０に入力される。他方、ＩＣカードＣＤによる金額の支払いが行われたとき、金額受領可否判定部２５４から出力される金額受領が可能との判定結果に基づいて主制御部２４２から金額受領信号Ｓｃ２の出力指令が出力され、金額受領信号Ｓｃ２が、当該出力指令に基づいて金額受領信号出力部２４５から出力され、機器２の金額確定部２１０に入力される。このように現金受付装置３と機器制御装置４０との間に端末装置４を介在させることで、既存の機器２への端末装置４の設置が容易となる。すなわち、現金受付装置３の出力を端末装置４の現金検出信号入力部２４６の入力に電気的に接続し、端末装置４の金額受領信号出力部２４５の出力を機器制御装置４０の入力に電気的に接続すればよい。
【００６１】
なお、本実施例では、機器２の現金受付装置３の出力が端末装置４の現金検出信号入力部２４６の入力に電気的に接続され、端末装置４の金額受領信号出力部２４５の出力が機器２の機器制御装置４０の入力に電気的に接続されている。しかしながら、例えば、機器２の現金受付装置３の出力が端末装置４の現金検出信号入力部２４６の入力と機器２の機器制御装置４０の入力とに電気的に接続され、端末装置４の金額受領信号出力部２４５の出力が機器制御装置４０の入力に電気的に接続されるように構成することもできる。このように構成することによって、機器２の現金受付装置３から出力される現金検出信号Ｓｃ１が、端末装置４の現金検出信号入力部２４６に入力されると共に機器２の機器制御装置４０に入力され、端末装置４の金額受領信号出力部２４５から出力される現金検出信号Ｓｃ１に相当する金額受領信号Ｓｃ２が機器２の機器制御装置４０に入力される。機器２の現金受付装置３から出力される現金検出信号Ｓｃ１を機器２の機器制御装置４０に直接入力することによって、端末装置４が故障するなどのトラブルが発生した場合であっても、現金貨幣を用いて機器２を使用することができる。なお、「現金検出信号Ｓｃ１に相当する金額受領信号Ｓｃ２」とは、端末装置４に対応する機器２の金額確定部２１０が現金検出信号Ｓｃ１および金額受領信号Ｓｃ２の双方を貨幣検出信号と認識できる程度に類似することを意味し、波形、振幅、出力値または信号幅が必ずしも同一である必要はない。
【００６２】
金額受領情報出力部２５８は、主制御部２４２から端末識別情報ＴＩＤと、第１単位金額ＵＶ１および第２単位金額ＵＶ２のうち少なくとも一方とが出力された場合に、第１単位金額ＵＶ１、第２単位金額ＵＶ２および端末識別情報ＴＩＤを含む金額受領情報ＣＲＩ１を無線通信装置２６０に出力する。
【００６３】
金額受領情報出力部２５８は、主制御部２４２が第２モードＭ２を実行しているときに、主制御部２４２から端末識別情報ＴＩＤと、第１単位金額ＵＶ１および第２単位金額ＵＶ２のうち少なくとも一方とが出力された場合に、第１単位金額ＵＶ１、第２単位金額ＵＶ２および端末識別情報ＴＩＤを含む領収書情報ＣＲＩ２を無線通信装置２６０に出力する。
【００６４】
無線通信装置２６０は、上位装置５との間で無線ネットワークＬＮを介して通信可能に接続される。換言すれば、無線通信装置２６０は、上位装置５に対してデータを送受信する機能を有している。無線通信装置２６０は、主制御部２４２からの送信指令に基づき、金額受領情報出力部２５８から出力された金額受領情報ＣＲＩ１および領収書情報ＣＲＩ２のそれぞれを上位装置５に送信する。
【００６５】
端末装置４の運転モードを説明する。端末装置４は、主制御部２４２が、ゼロ値に設定された領収書情報ＣＲＩ２を出力する第１モードＭ１と機器２の利用に基づく領収書情報ＣＲＩ２を出力する第２モードＭ２とのそれぞれを実行可能に構成されている。端末装置４で第１モードＭ１が実行されているとき、端末装置４の記憶部２４４には、対応する機器２の利用に基づいた金額受領情報ＣＲＩ１およびゼロ値に設定された領収書情報ＣＲＩ２のそれぞれが記憶される。換言すれば、端末装置４で第１モードＭ１が実行されているとき、端末装置４の記憶部２４４には、受領された第１単位金額ＵＶ１および第２単位金額ＵＶ２のうち少なくとも一方が反映された金額受領情報ＣＲＩ１と、第１単位金額ＵＶ１および第２単位金額ＵＶ２がゼロ値に設定された領収書情報ＣＲＩ２とのそれぞれが記憶される。さらに換言すれば、端末装置４で第１モードＭ１が実行されているとき、領収書情報ＣＲＩ２の第１単位金額ＵＶ１および第２単位金額ＵＶ２のそれぞれは、第１単位金額ＵＶ１および第２単位金額ＵＶ２のそれぞれの受領に応じて更新されず、ゼロ値に維持される。そのため、端末装置４で第１モードＭ１が実行されているときには、ゼロ値に設定された領収書情報ＣＲＩ２が領収書情報出力部２５９から出力されるので、後述する上位装置５の制御ユニット１５４の記憶部２８６に記憶される第２領収書情報ＣＲＩ４も更新されずに、ゼロ値に設定される。
【００６６】
他方、第２モードＭ２が実行されているとき、端末装置４の記憶部２４４には、対応する機器２の利用に基づいた金額受領情報ＣＲＩ１および領収書情報ＣＲＩ２のそれぞれが記憶される。換言すれば、端末装置４で第２モードＭ２が実行されているとき、端末装置４の記憶部２４４には、受領された第１単位金額ＵＶ１および第２単位金額ＵＶ２のうち少なくとも一方が反映された金額受領情報ＣＲＩ１および領収書情報ＣＲＩ２が記憶される。例えば、端末装置４で第２モードＭ２が実行されているときに、第１単位金額ＵＶ１が受領された場合、金額受領情報ＣＲＩ１および領収書情報ＣＲＩ２のそれぞれの第１単位金額ＵＶ１は、当該受領された第１単位金額ＵＶ１に基づいて更新されるが、第２単位金額ＵＶ２は更新されない。また、端末装置４で第２モードＭ２が実行されているときに、第２単位金額ＵＶ２が受領された場合、金額受領情報ＣＲＩ１および領収書情報ＣＲＩ２のそれぞれの第２単位金額ＵＶ２は、当該受領された第２単位金額ＵＶ２に基づいて更新されるが、第１単位金額ＵＶ１は更新されない。さらに、端末装置４で第２モードＭ２が実行されているときに、第１単位金額ＵＶ１および第２単位金額ＵＶ２が受領された場合、金額受領情報ＣＲＩ１および領収書情報ＣＲＩ２のそれぞれの第１単位金額ＵＶ１および第２単位金額ＵＶ２のそれぞれは、当該受領された第１単位金額ＵＶ１および第２単位金額ＵＶ２のそれぞれに基づいて更新される。そのため、端末装置４で第２モードＭ２が実行されているときには、受領された第１単位金額ＵＶ１および第２単位金額ＵＶ２のそれぞれに基づいて更新された領収書情報ＣＲＩ２が領収書情報出力部２５９から出力されるので、後述する上位装置５の制御ユニット１５４の記憶部２８６に記憶される第２領収書情報ＣＲＩ４も更新される。
【００６７】
なお、本実施例では、端末装置４で第１モードＭ１が実行されているときと、第２モードＭ２が実行されているときとの両方の状態において、領収書情報ＣＲＩ２が端末装置４の領収書情報出力部２５９から出力されるように設定されているが、例えば、端末装置４で第１モードＭ１が実行されているときには、領収書情報ＣＲＩ２を領収書情報出力部２５９から出力せず、端末装置４で第２モードＭ２が実行されているときに、領収書情報ＣＲＩ２を領収書情報出力部２５９から出力するように構成することもできる。
【００６８】
また、本実施例では、第１単位金額ＵＶ１および第２単位金額ＵＶ２の少なくともいずれか一方が受領されたときに、金額受領情報ＣＲＩ１および領収書情報ＣＲＩ２のそれぞれが、金額受領情報出力部２５８および領収書情報出力部２５９のそれぞれから出力されるように構成されているが、例えば、所定の時間ごとに金額受領情報ＣＲＩ１および領収書情報ＣＲＩ２のそれぞれを出力するように構成することもできる。さらに、上位装置５が、所定時間ごとに端末装置４にアクセスして、端末装置４の記憶部２４４に記憶されている金額受領情報ＣＲＩ１および領収書情報ＣＲＩ２のそれぞれを読み出すように構成することもできる。
【００６９】
（上位装置）
次に、図５および図６を参照しながら、上位装置５について説明する。上位装置５は、ＩＣカードＣＤの発行機能と、発行されたＩＣカードＣＤに対する電子マネーのチャージ機能と、機器２の利用に基づく領収書を発行する機能を有する。
【００７０】
上位装置５は、図５に示すように、箱形の筐体１４０、液晶パネル等により構成された表示装置１４１、表示装置１４１と共に入力装置１４２を構成するタッチパネル１４３、硬貨選別装置１４６、硬貨払出装置１４７、紙幣入金装置１５０、カード処理装置１５２、印字装置１８０および制御ユニット１５４を含んで構成される複合装置である。
【００７１】
表示装置１４１は、横長矩形の形状を有し、筐体１４０の前面側の上部に配置されている。表示装置１４１には、各種情報が表示されると共に、適宜に操作ボタン１６２が表示される。例えば、「カード発行」、「チャージ」および「領収書発行」の選択ボタン１６３が表示される。表示装置１４１の表面にはタッチパネル１４３が重ね合わされており、操作ボタン１６２の表示に伴い、表示装置１４１およびタッチパネル１４３により入力装置１４２が構成される。操作ボタン１６２として選択ボタン１６３が表示された場合、利用者が選択ボタン１６３を操作することにより、上位装置５における所定の動作を指定することができる。
【００７２】
硬貨選別装置１４６は、筐体１４０の前面側の左中央部に配置されている。硬貨選別装置１４６は、縦長スリット状の硬貨投入口１６４と、矩形の硬貨返却口１６５と、利用者の操作により硬貨を硬貨返却口１６５に返却する返却レバー１６６と、を有している。硬貨選別装置１４６は、硬貨投入口１６４に投入された硬貨の真偽および金種を判別し、偽貨を硬貨返却口１６５に返却し、正貨を筐体１４０内に配置された硬貨金庫１６１に貯留する。硬貨選別装置１４６は、硬貨投入口１６４に投入された硬貨が正貨の場合に、判別された金種に応じた硬貨信号を出力する。
【００７３】
硬貨払出装置１４７は、貯留容器（図示せず）にバラ積み状態で貯留された硬貨を一つずつ分離して硬貨払出口１４８に払い出す。本実施形態では、硬貨払出装置１４７は１００円硬貨を両替硬貨として払い出す。
【００７４】
紙幣入金装置１５０は、筐体１４０の前面側の中央部に配置されている。紙幣入金装置１５０は、横長スリット状の紙幣投入口１６７と、紙幣投入口１６７の近傍に位置する紙幣識別部１６８と、紙幣投入口１６７の下方に位置する紙幣貯留部１６９と、を有している。紙幣入金装置１５０は、紙幣投入口１６７に投入された紙幣の真偽および金種を紙幣識別部１６８により判別し、偽券を紙幣投入口１６７に返却し、真券を紙幣貯留部１６９に貯留する。紙幣入金装置１５０は、紙幣投入口１６７に投入された紙幣が真券である場合に、紙幣信号を出力する。
【００７５】
なお、本実施例において、上位装置５は、硬貨選別装置１４６、硬貨払出装置１４７および紙幣入金装置１５０を含んで構成されるが、例えば、硬貨選別装置１４６および硬貨払出装置１４７を含まず、紙幣入金装置１５０を含み、紙幣のみを受け付け可能に構成することもできる。
【００７６】
カード処理装置１５２は、筐体１４０の前面側の左中央部に配置されている。カード処理装置１５２は、横長スリット状のカード入出口１７０と、カード入出口１７０の近傍に位置するカード読取書込部１７１と、カード入出口１７０の後方に位置するカード貯留部１７２と、を有している。カード処理装置１５２は、カード貯留部１７２に貯留されたＩＣカードＣＤをカード入出口１７０に払い出すと共に、当該払い出されるＩＣカードＣＤおよびカード入出口１７０に投入されたＩＣカードＣＤに対して情報の読み取りおよび書き込みを実行する。当該情報の読み取りおよび書き込みは、カード読取書込部１７１により実行される。
【００７７】
印字装置１８０は、発行されたＩＣカードＣＤに対して電子マネーをチャージした金額に基づく領収書および機器２の使用に対して支払った金額に基づく領収書を印字して発行する。印字装置１８０は、用紙（例えばロール紙）を収納する図示しない収納部と、用紙が送り出される横長スリット状の送出口１８２と、用紙への印字を制御する印字制御部３００と、用紙に印字する印字データを生成する印字データ生成部３０２と、印字データを用紙に印字する印字部３０４と、を有している。
【００７８】
制御ユニット１５４は、図６に示すように、主制御部２７１、表示制御部２７２、入力制御部２７３、紙幣入金制御部２７４、カード処理制御部２７６、硬貨入金計数部２７８、硬貨払出制御部２８０、無線通信装置２８２、ハードディスクドライブなどの記憶装置によって構成される記憶装置２８４、ランダムアクセスメモリ（ＲＡＭ）などの記憶装置によって構成される記憶部２８６、領収書発行制御部２８８および有線通信装置２９０を含んで構成される。主制御部２７１、記憶部２８６および領収書発行制御部２８８は、印字装置１８０から機器２の利用に基づいた領収書を発行する機能を実現するために使用される。
【００７９】
主制御部２７１は、記憶装置２８４および記憶部２８６のそれぞれに対して各種情報の入出力を実行すると共に、上位装置５の所定の機能を実現するために表示制御部２７２、入力制御部２７３、紙幣入金制御部２７４、カード処理制御部２７６、硬貨入金計数部２７８、硬貨払出制御部２８０および印字装置１８０の印字制御部３００を動作させる。
【００８０】
表示制御部２７２は、主制御部２７１から出力される表示情報に基づいて表示装置を制御し、表示装置１４１に各種情報および操作ボタン１６２を表示させる。主制御部２７１は、記憶装置２８４に記憶された情報に基づき、表示情報を出力する。操作ボタン１６２としては、例えば、上述した「カード発行」、「チャージ」および「領収書発行」の選択ボタン１６３が表示される。
【００８１】
入力制御部２７３は、入力装置１４２に入力された情報を主制御部２７１に出力する。操作ボタン１６２として「カード発行」、「チャージ」および「領収書発行」の選択ボタン１６３が表示装置１４１に表示された場合、選択された操作ボタン１６２に応じた操作情報が主制御部２７１に入力される。
【００８２】
紙幣入金制御部２７４は、紙幣入金装置１５０の動作を制御し、紙幣入金装置１５０に入金された紙幣入金情報を主制御部２７１に出力する。紙幣入金情報が入力された主制御部２７１は、入力制御部２７３から入力された操作情報に応じてカード処理制御部２７６または硬貨払出制御部２８０に対して所定の動作指令を出力する。すなわち、「カード発行」または「チャージ」が選択された場合にはカード処理制御部２７６に動作指令を出力する。
【００８３】
カード処理制御部２７６は、主制御部２７１から出力された動作指令に基づき、カード処理装置１５２を動作させる。すなわち、主制御部２７１は、新たなＩＣカードＣＤを発行するカード発行指令、カード入出口１７０に投入されたＩＣカードＣＤにチャージ金額を更新して書き込むためのカード更新書込指令およびカード入出口１７０に投入されたＩＣカードＣＤからチャージ金額を読み取るカード読取指令のいずれか一つが出力される。カード発行指令が出力された場合、カード処理制御部２７６は、カード処理装置１５２のカード貯留部１７２に貯留されたＩＣカードＣＤをカード入出口１７０から払い出すようカード処理装置１５２を制御する。この場合、カード払出指令には紙幣入金情報が含まれており、カード処理制御部２７６は、当該紙幣入金情報に応じたチャージ金額の書込を実行するようカード処理装置１５２を制御する。カード処理装置１５２は、カード読取書込部１７１を動作させてＩＣカードＣＤへのチャージ金額の書込を実行する。こうして、チャージ金額が書き込まれた新たなＩＣカードＣＤの払い出しが行われる。カード更新書込指令が出力された場合、カード処理制御部２７６は、カード更新書込指令に含まれる紙幣入金情報に応じたチャージ金額と既存のチャージ金額との合計額を新たなチャージ金額として書込を実行する。すなわち、カード処理制御部２７６は、カード入出口１７０に投入されたＩＣカードＣＤからチャージ金額を読み取るようカード処理装置１５２を制御する。カード処理装置１５２は、カード読取書込部１７１を動作させてＩＣカードＣＤに記憶された既存のチャージ金額（以下、既存チャージ金額という）を読み取り、読み取った既存チャージ金額をカード処理制御部２７６に出力する。既存チャージ金額が入力されたカード処理制御部２７６は、既存チャージ金額を主制御部２７１に出力すると共に、既存チャージ金額にカード更新書込指令のチャージ金額を加算した値を新たなチャージ金額として更新し（以下、更新チャージ金額という）、更新チャージ金額の書込を実行するようカード処理装置１５２を制御する。そして、カード処理装置１５２が更新チャージ金額の書込を実行する。カード読取指令が出力された場合、カード処理制御部２７６は、チャージ金額の読取を実行するようカード処理装置１５２を制御する。カード処理装置１５２は、カード読取書込部１７１を動作させてＩＣカードＣＤに記憶された既存チャージ金額の読取を実行し、読み取られた既存チャージ金額をカード処理制御部２７６に出力する。既存チャージ金額が入力されたカード処理制御部２７６は、当該既存チャージ金額を主制御部２７１に出力する。
【００８４】
硬貨入金計数部２７８は、硬貨選別装置１４６から出力される硬貨信号を計数し、計数結果を主制御部２７１に出力する。換言すれば、硬貨入金計数部２７８は、硬貨選別装置１４６に投入された正貨の金額情報を主制御部２７１に出力する。
【００８５】
硬貨払出制御部２８０は、主制御部２７１から出力された硬貨払出指令に基づき、硬貨払出装置１４７の動作を制御する。硬貨払出指令には硬貨払出枚数が含まれており、硬貨払出装置１４７は当該硬貨払出枚数の硬貨を硬貨払出口１４８に払い出す。
【００８６】
記憶装置２８４は、端末装置４の金額受領情報出力部２５８から出力された金額受領情報ＣＲＩ１を含む第２金額受領情報ＣＲＩ３を記憶し、主制御部２７１から出力された読出指令に基づき、記憶されたチャージ金額および第２金額受領情報ＣＲＩ３を主制御部２７１に出力する。記憶装置２８４に記憶される第２金額受領情報ＣＲＩ３は、例えば、金額受領情報ＣＲＩ１に含まれて入力された端末識別情報ＴＩＤと、第１単位金額ＵＶ１および第２単位金額ＵＶ２と、当該端末識別情報ＴＩＤに対応する機器２の機器名称ＭＮと、金額受領情報ＣＲＩ１が記憶装置２８４に入力された日時ＤＴとから構成されている。
【００８７】
記憶部２８６は、端末装置４の領収書情報出力部２５９から出力された領収書情報ＣＲＩ２を含む第２領収書情報ＣＲＩ４を記憶し、領収書発行制御部２８８から主制御部２７１を介して出力された読出指令に基づき、第２領収書情報ＣＲＩ４を、主制御部２７１を介して印字装置１８０の印字データ生成部３０２に出力する。記憶部２８６は、所定の時間内に入力された領収書情報ＣＲＩ２に基づいて、端末識別情報ＴＩＤが同じ領収書情報ＣＲＩ２の第１単位金額ＵＶ１および第２単位金額ＵＶ２のそれぞれを合計して、これら合計値それぞれを現金情報ＣＲ１およびＩＣ金額情報ＣＲ２として記憶すると共に、現金情報ＣＲ１とＩＣ金額情報ＣＲ２とを合計して、その合計値を金額情報ＣＲとして記憶する。記憶部２８６に記憶される第２領収書情報ＣＲＩ４は、例えば図７に示すように、各端末装置４の端末識別情報ＴＩＤに紐付けて記憶され、端末識別情報ＴＩＤに対応する機器２の機器名称ＭＮと、金額受領情報ＣＲＩ１が記憶装置２８４に入力された日時ＤＴと、現金情報ＣＲ１と、ＩＣ金額情報ＣＲ２と、金額情報ＣＲと、が記憶されている。
【００８８】
領収書発行制御部２８８は、利用者によって入力装置１４２に入力された領収書発行指示に基づいて、機器２の利用に基づく領収書を発行する領収書発行処理を実行する。領収書発行制御部２８８は、利用者によって入力装置１４２に入力された領収書発行指示に基づいて入力制御部２７３から出力される領収書発行指令が、主制御部２７１を介して入力される。領収書発行制御部２８８は、入力制御部２７３から出力される領収書発行指令に基づいて、主制御部２７１に対して、入力制御部２７３から出力される領収書発行指令に含まれる端末識別情報ＴＩＤに対応する第２領収書情報ＣＲＩ４を記憶部２８６から読み出す読出指令を出力する。領収書発行指令に含まれる端末識別情報ＴＩＤに対応する第２領収書情報ＣＲＩ４が記憶部２８６に記憶されていない場合、領収書発行制御部２８８は、主制御部２７１に対して、表示装置１４１でエラー表示を行う旨のエラー表示指令を出力する。他方、収書発行指令に含まれる端末識別情報ＴＩＤに対応する第２領収書情報ＣＲＩ４が記憶部２８６に記憶されている場合、領収書発行制御部２８８は、主制御部２７１を介して印字装置１８０の印字制御部３００に領収書の印字指令を出力する。
【００８９】
無線通信装置２８２は、複数の端末装置４のそれぞれとの間で通信可能に接続される。換言すれば、無線通信装置２８２は、複数の端末装置４のそれぞれに対してデータを送受信する機能を有している。無線通信装置２６０は、複数の端末装置４から出力された金額受領情報ＣＲＩ１を受信したときに、当該金額受領情報ＣＲＩ１を主制御部２７１に出力する。主制御部２７１は、無線通信装置２６０から金額受領情報ＣＲＩ１が入力されると、当該入力された金額受領情報ＣＲＩ１を記憶装置２８４に出力する。また、無線通信装置２６０は、複数の端末装置４から出力された領収書情報ＣＲＩ２を受信したときに、当該領収書情報ＣＲＩ２を主制御部２７１に出力する。主制御部２７１は、無線通信装置２６０から領収書情報ＣＲＩ２が入力されると、当該入力された領収書情報ＣＲＩ２を記憶部２８６に出力する。
【００９０】
上述した通り、複数の端末装置４から出力される金額受領情報ＣＲＩ１には、出力元の端末装置４を特定可能な端末識別情報ＴＩＤ、機器２の現金受付装置３で受領された第１単位金額ＵＶ１および当該端末装置４において受領された第２単位金額ＵＶ２が含まれている。記憶装置２８４には、図７に示すように、記憶装置２８４に金額受領情報ＣＲＩ１が入力された日時ＤＴおよび端末識別情報ＴＩＤ毎に関連付けられた機器名称ＭＮ、第１単位金額ＵＶ１および第２単位金額ＵＶ２が、各機器２の利用に対する金額支払い履歴として記憶されている。
【００９１】
また、複数の端末装置４から出力される領収書情報ＣＲＩ２には、出力元の端末装置４を特定可能な端末識別情報ＴＩＤ、機器２の現金受付装置３で受領された第１単位金額ＵＶ１および当該端末装置４において受領された第２単位金額ＵＶ２が含まれている。記憶部２８６には、図８に示すように、端末識別情報ＴＩＤ毎に関連付けられた機器名称ＭＮ、記憶装置２８４に領収書情報ＣＲＩ２が入力された日時ＤＴ、入力された第１単位金額ＵＶ１の合計値（現金情報ＣＲ１）、入力された第２単位金額ＵＶ２の合計値（ＩＣ金額情報ＣＲ２）、および、現金情報ＣＲ１とＩＣ金額情報ＣＲ２との合計値（金額情報ＣＲ）が、各機器２の利用に対した支払われた金額として記憶されている。
【００９２】
（上位装置の動作）
次に、図９を参照しながら、上位装置５の動作について説明する。まず、ステップＳＴ１では、選択ボタン１６３が操作されたか否かが判定される。すなわち、操作ボタン１６２として「カード発行」、「チャージ」および「領収書発行」の選択ボタン１６３が表示装置１４１に表示された状態でそれらの選択ボタン１６３のいずれか一つが操作されたか否かが判定される。「カード発行」の選択ボタン１６３が操作されたと判定された場合、ステップＳＴ２に進む。「チャージ」の選択ボタン１６３が操作されたと判定された場合、ステップＳＴ６に進む。「領収書発行」の選択ボタン１６３が操作されたと判定された場合、ステップＳＴ１０に進む。他方、選択ボタン１６３が操作されていないと判定された場合、ステップＳＴ１が繰り返し実行され、選択ボタン１６３の操作待ちの状態が維持される。
【００９３】
ステップＳＴ２では、チャージ金額が確定したか否かが判定される。すなわち、入力制御部２７３からカード発行選択情報が主制御部２７１に入力される。この場合、主制御部２７１が表示制御部２７２に金額選択情報を出力し、表示制御部２７２が表示装置１４１に複数の金額が表示された選択ボタン１６３が操作ボタン１６２として表示される。例えば、「１０００円」、「２０００円」、「３０００円」および「５０００円」の選択ボタン１６３が表示される。この状態で、複数の選択ボタン１６３のうちのいずれか一つが操作されたときに、チャージ金額が確定したと判定され、次のステップＳＴ３に進む。選択ボタン１６３が操作されるまでは、ステップＳＴ２が繰り返し実行される。換言すれば、選択ボタン１６３の操作待ちの状態が維持される。
【００９４】
次のステップＳＴ３では、入金が完了したか否かが判定される。すなわち、ステップＳＴ３で確定されたチャージ金額に相当する金額が紙幣入金装置１５０および硬貨選別装置１４６において支払われたか否かが判定される。主制御部２７１は、紙幣入金制御部２７４から出力される紙幣入金情報および硬貨選別装置１４６から出力される硬貨入金情報と確定されたチャージ金額とを対比することにより、入金の完了を判定する。入金が完了したと判定された場合には次のステップＳＴ４に進み、入金が完了していないと判定された場合にはステップＳＴ３が繰り返し実行される。換言すれば、入金が完了するまでは入金待ちの状態が維持される。
【００９５】
次のステップＳＴ４では、新たなＩＣカードＣＤへのチャージ金額の書込および当該ＩＣカードＣＤの払出が実行される。すなわち、主制御部２７１がカード処理制御部２７６に対してカード発行指令を出力する。カード発行指令が入力されたカード処理制御部２７６は、カード処理装置１５２のカード貯留部１７２に貯留されたＩＣカードＣＤをカード入出口１７０から払い出すようカード処理装置１５２を制御すると共に、払い出されるＩＣカードＣＤにステップＳＴ２で確定されたチャージ金額を書き込むようカード処理装置１５２を制御する。カード処理装置１５２は、チャージ金額を新たなＩＣカードＣＤに書き込み、カード入出口１７０から払い出す。
【００９６】
次のステップＳＴ５では、処理が完了したことを示す情報が表示装置１４１に表示される。すなわち、主制御部２７１が処理終了情報を表示制御部２７２に出力し、表示制御部２７２が処理終了情報に基づく表示を表示装置１４１に表示させる。例えば、チャージ金額および新規カードの発行を示す情報が表示装置１４１に表示される。ステップＳＴ５の実行後、ステップＳＴ１に戻る。
【００９７】
ステップＳＴ２において「チャージ」の選択ボタン１６３が操作されたと判定された場合、ステップＳＴ６に進む。ステップＳＴ６では、ステップＳＴ２の場合と同様に、チャージ金額が確定したか否かが判定される。チャージ金額が確定したと判定された場合にはステップＳＴ７に進み、チャージ金額が確定していないと判定された場合にはステップＳＴ６が繰り返し実行される。
【００９８】
次のステップＳＴ７では、ステップＳＴ３の場合と同様に、入金が完了したか否かが判定される。入金が完了したと判定された場合にはステップＳＴ８に進み、入金が完了していないと判定された場合にはステップＳＴ７が繰り返し実行される。
【００９９】
次のステップＳＴ８では、ＩＣカードＣＤからの既存のチャージ金額の読取とステップＳＴ６で確定されたチャージ金額に基づく更新チャージ金額の書込とが実行される。すなわち、主制御部２７１がカード処理制御部２７６に対してカード更新書込指令を出力する。カード更新書込指令が入力されたカード処理制御部２７６は、カード入出口１７０に投入されたＩＣカードＣＤから既存のチャージ金額を読み取るようカード処理装置１５２を制御すると共に、読み取られた既存のチャージ金額にステップＳＴ６のチャージ金額を加算して得られる更新チャージ金額を書き込むよう制御する。カード処理装置１５２は、更新チャージ金額をＩＣカードＣＤに書き込んだ後、ＩＣカードＣＤをカード入出口１７０から払い出す。
【０１００】
次のステップＳＴ９では、ステップＳＴ５の場合と同様に、処理が完了したことを示す情報が表示装置１４１に表示される。例えば、既存のチャージ金額、追加チャージ金額および更新チャージ金額を示す情報が表示装置１４１に表示される。ステップＳＴ９の実行後、ステップＳＴ１に戻る。
【０１０１】
ステップＳＴ１において「領収書発行」の選択ボタン１６３が操作されたと判定された場合、ステップＳＴ１０に進み、後述される領収書発行処理のプロセスが実行される。
ステップＳＴ１０では、機器２を利用するために支払った金額に関する領収書の発行が要求されたか否かが判定される。入力装置１４２に、機器２に取り付けられている端末装置４の端末識別情報ＴＩＤが入力されたか否かが判定される。端末識別情報ＴＩＤが入力されたと判定された場合には、ステップＳＴ１１に進む。他方、端末識別情報ＴＩＤが入力されていないと判定された場合には、ステップＳＴ１０が繰り返し実行される。
【０１０２】
次のステップＳＴ１１では、ステップＳＴ１０で入力された端末識別情報ＴＩＤが記憶部２８６に記憶されているか否かが判定される。端末識別情報ＴＩＤが記憶部２８６に記憶されていると判定される場合には、ステップＳＴ１２に進む。他方、端末識別情報ＴＩＤが記憶部２８６に記憶されていないと判定される場合には、ステップＳＴ１に戻る。
【０１０３】
次のステップＳＴ１２では、領収書発行制御部２８８が、無線通信装置２８２を介して端末装置４に対してモード切替信号を出力する。これにより、端末装置４が、第２モードＭ２から第１モードＭ１に移行する。ステップＳＴ１２の実行後、ステップＳＴ１３に進む。
【０１０４】
次のステップＳＴ１３では、印字装置１８０から領収書が発行される。すなわち、領収書発行制御部２８８による印字指示に基づいて、印字装置１８０の印字制御部３００が印字データ生成部３０２および印字部３０４を制御して、領収書を印字する。ステップＳＴ１３の実行後、ステップＳＴ１に戻る。
【０１０５】
上記の通り、上位装置５では、ＳＴ１で「カード発行」、「チャージ」および「領収書発行」のいずれか一つの処理が選択され、選択された処理に応じてステップＳＴ２〜ＳＴ５、ステップＳＴ６〜ＳＴ９またはステップＳＴ１０〜ＳＴ１３が選択的に実行される。
【０１０６】
（領収書発行システムの動作）
次に、図８〜図２０を参照して、領収書発行システム８の動作について説明する。最初に、図１０〜図１６を参照して、領収書発行システム８のデータフローについて説明する。
【０１０７】
まず、図１０を参照して、硬貨（現金通貨）のみの支払いによって機器２を利用し、かつ、機器２の利用に基づく領収書を発行しない場合のフローについて説明する。ＳＱ１０１では、現金受付装置３が、１枚の現金ＣＮを受け付けた（すなわち、第１単位金額ＵＶ１を受領した）ことに基づいて、現金検出信号Ｓｃ１を端末装置４に出力する。ＳＱ１０２では、端末装置４において、現金検出信号入力部２４６に現金検出信号Ｓｃ１が入力されたことに基づいて、該現金検出信号入力部２４６が検出信号ＤＳを主制御部２４２に出力する。ＳＱ１０３では、端末装置４において、主制御部２４２に検出信号ＤＳが入力されたことに基づいて、主制御部２４２が金額受領信号Ｓｃ２の出力指令を金額受領信号出力部２４５に出力する。ＳＱ１０４では、端末装置４が、金額受領信号出力部２４５に金額受領信号Ｓｃ２の出力指令が入力されたことに基づいて、金額受領信号出力部２４５から出力された金額受領信号Ｓｃ２を機器２に出力する。ＳＱ１０５では、端末装置４が、主制御部２４２に検出信号ＤＳが入力されたことに基づいて第１単位金額ＵＶ１が支払われたものと確定し、金額受領情報出力部２５８から出力される金額受領情報ＣＲＩ１を上位装置５に出力する。
【０１０８】
ＳＱ１０６では、金額受領信号Ｓｃ２が入力されたときに受領金額ＲＶが単位金額ＵＣに達した場合（ＲＶ≧ＵＣ）、機器２が稼動される。なお、ＳＱ１０１〜ＳＱ１０５のシーケンスステップは、受領した第１単位金額ＵＶ１の合計金額である受領金額ＲＶが、機器２の稼働条件ＯＣである単位金額ＵＣに達するまで、概して何回も繰り返される。
【０１０９】
次に、図１１を参照して、電子マネーのみの支払いによって機器２を利用し、かつ、機器２の利用に基づく領収書を発行しない場合のフローについて説明する。ＳＱ２０１では、端末装置４が、ＩＣカードＣＤに対して、チャージ金額ＣＶの読出指令を出力する。ＳＱ２０２では、端末装置４が、ＩＣカードＣＤに記憶されたチャージ金額ＣＶを読み出す。ＳＱ２０３では、ＩＣカードＣＤから読み出されたチャージ金額ＣＶから第２単位金額ＵＶ２を受領することが可能なときに、端末装置４において、金額受領可否判定部２５４が金額受領可能の判定結果を主制御部２５４に出力する。ＳＱ２０４では、端末装置４が、金額受領可否判定部２５４から出力される金額受領可能の判定結果に基づいて、ＩＣカードＣＤから読み出されたチャージ金額ＣＶから第２単位金額ＵＶ２を減算して更新されたチャージ金額ＣＶをＩＣカードＣＤに書き込む。
【０１１０】
ＳＱ２０５では、端末装置４において、ＳＱ２０３での判定結果に基づいて、主制御部２４２が金額受領信号Ｓｃ２の出力指令を金額受領信号出力部２４５に出力する。ＳＱ２０６では、端末装置４が、金額受領信号出力部２４５に金額受領信号Ｓｃ２が入力されたことに基づいて、金額受領信号出力部２４５から出力される金額受領信号Ｓｃ２を機器２に出力する。ＳＱ２０７では、端末装置４が、ＳＱ２０３での判定結果に基づいて、第２単位金額ＵＶ２が支払われたものと確定し、金額受領情報出力部２５８から出力される金額受領情報ＣＲＩ１を上位装置５に出力する。
【０１１１】
ＳＱ２０８では、金額受領信号Ｓｃ２が入力されたときに、受領した第２単位金額ＵＶ２の合計金額である受領金額ＲＶが、機器２の稼働条件ＯＣである単位金額ＵＣに達した場合（ＲＶ≧ＵＣ）、機器２は稼動される。なお、ＳＱ２０１〜ＳＱ２０７のシーケンスステップは、受領した第２単位金額ＵＶ２の総額である受領金額ＲＶが、機器２の稼働条件ＯＣである単位金額ＵＣに達するまで、概して何回も繰り返される。
【０１１２】
次に、図１２を参照して、硬貨（現金通貨）および電子マネーの両方の支払いによって機器２を利用し、かつ、機器２の利用に基づく領収書を発行しない場合のフローについて説明する。ＳＱ３０１では、現金受付装置３が、１枚の現金ＣＮを受け付けた（すなわち、第１単位金額ＵＶ１を受領した）ことに基づいて、現金検出信号Ｓｃ１を端末装置４に出力する。
【０１１３】
ＳＱ３０２では、端末装置４において、現金検出信号入力部２４６に現金検出信号Ｓｃ１が入力されたことに基づいて、該現金検出信号入力部２４６が検出信号ＤＳを主制御部２４２に出力する。ＳＱ３０３では、端末装置４において、主制御部２４２に検出信号ＤＳが入力されたことに基づいて、主制御部２４２が金額受領信号Ｓｃ２の出力指令を金額受領信号出力部２４５に出力する。ＳＱ３０４では、端末装置４が、金額受領信号出力部２４５に金額受領信号Ｓｃ２の出力指令が入力されたことに基づいて、金額受領信号出力部２４５から出力された金額受領信号Ｓｃ２を機器２に出力する。ＳＱ３０５では、端末装置４が、主制御部２４２に検出信号ＤＳが入力されたことに基づいて第１単位金額ＵＶ１が支払われたものと確定し、金額受領情報出力部２５８から出力された金額受領情報ＣＲＩ１を上位装置５に出力する。
【０１１４】
ＳＱ３０６では、端末装置４が、ＩＣカードＣＤに対して、チャージ金額ＣＶの読出指令を出力する。ＳＱ３０７では、端末装置４が、ＩＣカードＣＤに記憶されたチャージ金額ＣＶを読み出す。ＳＱ３０８では、ＩＣカードＣＤから読み出されたチャージ金額ＣＶから第２単位金額ＵＶ２を受領することが可能なときに、端末装置４において、金額受領可否判定部２５４が金額受領可能の判定結果を主制御部２４２に出力する。ＳＱ３０９では、端末装置４が、金額受領可否判定部２５４から出力される金額受領可能の判定結果に基づいて、ＩＣカードＣＤから読み出されたチャージ金額ＣＶから第２単位金額ＵＶ２を減算して更新されたチャージ金額ＣＶをＩＣカードＣＤに書き込む。
【０１１５】
ＳＱ３１０では、端末装置４において、ＳＱ２０３での判定結果に基づいて、主制御部２４２が金額受領信号Ｓｃ２の出力指令を金額受領信号出力部２４５に出力する。ＳＱ３１１では、端末装置４が、金額受領信号出力部２４５に金額受領信号Ｓｃ２が入力されたことに基づいて、金額受領信号出力部２４５から出力された金額受領信号Ｓｃ２を機器２に出力する。ＳＱ３１２では、端末装置４が、ＳＱ３０８での判定結果に基づいて、基づいて第２単位金額ＵＶ２が支払われたものと確定し、金額受領情報出力部２５８から出力された金額受領情報ＣＲＩ１を上位装置５に出力する。
【０１１６】
ＳＱ３１３では、金額受領信号Ｓｃ２が入力されたときに、受領した第１単位金額ＵＶ１と第２単位金額ＵＶ２との合計金額である受領金額ＲＶが、機器２の稼働条件ＯＣである単位金額ＵＣに達した場合（ＲＶ≧ＵＣ）、機器２は稼動される。なお、ＳＱ３０１〜ＳＱ３１２のシーケンスステップは、受領金額ＲＶが単位金額ＵＣに達するまで、概して何回も繰り返される。
【０１１７】
次に、図１３を参照して、硬貨（現金通貨）のみの支払いによって機器２を利用し、かつ、機器２の利用に基づく領収書を発行する場合のフローについて説明する。ＳＱ４０１では、利用者が端末装置４の操作ボタン１３６を第２条件で押下する操作に基づいて、端末装置４が、第２モードＭ２を実行する。
【０１１８】
ＳＱ４０２では、現金受付装置３が、１枚の現金ＣＮを受け付けた（すなわち、第１単位金額ＵＶ１を受領した）ことに基づいて、現金検出信号Ｓｃ１を端末装置４に出力する。ＳＱ４０３では、端末装置４において、現金検出信号入力部２４６に現金検出信号Ｓｃ１が入力されたことに基づいて、該現金検出信号入力部２４６が検出信号ＤＳを出力する。ＳＱ４０４では、端末装置４において、主制御部２４２に検出信号ＤＳが入力されたことに基づいて、主制御部２４２が金額受領信号Ｓｃ２の出力指令を金額受領信号出力部２４５に出力する。ＳＱ４０５では、端末装置４が、金額受領信号出力部２４５に金額受領信号Ｓｃ２の出力指令が入力されたことに基づいて、金額受領信号出力部２４５から出力された金額受領信号Ｓｃ２を機器２に出力する。ＳＱ４０６では、端末装置４が、主制御部２４２に検出信号ＤＳが入力されたことに基づいて第１単位金額ＵＶ１が支払われたものと確定し、金額受領情報出力部２５８から出力された金額受領情報ＣＲＩ１を上位装置５に出力すると共に、領収書情報出力部２５９から出力された領収書情報ＣＲＩ２を上位装置５に出力する。
【０１１９】
ＳＱ４０７では、金額受領信号Ｓｃ２が入力されたときに、受領した第１単位金額ＵＶ１の合計金額である受領金額ＲＶが、機器２の稼働条件ＯＣである単位金額ＵＣに達した場合（ＲＶ≧ＵＣ）、機器２が稼動される。なお、ＳＱ１０１〜ＳＱ１０５のシーケンスステップは、受領金額ＲＶが単位金額ＵＣに達するまで、概して何回も繰り返される。
【０１２０】
ＳＱ４０８では、上位装置５において、利用者による入力装置１４２への領収書発行指示の入力に基づいて、領収書発行制御部２８８が領収書発行指令を主制御部２７１に出力する。ＳＱ４０９では、上位装置５が、主制御部２７１に領収書発行指令が入力されたことに基づいて、モード切替信号を端末装置４に出力する。ＳＱ４１０では、端末装置４が、モード切替信号の入力に基づいて、第１モードＭ１を実行する、換言すれば、第２モードＭ２から第１モードＭ１に運用モードを切り替える。ＳＱ４１１では、端末装置４が、第１単位金額ＵＶ１および第２単位金額ＵＶ２のそれぞれがゼロ値の領収書情報ＣＲＩ２を上位装置５に出力する。これにより、上位装置５の記憶部２８６に記憶されている第２領収書情報ＣＲＩ４が初期化される。
【０１２１】
次に、図１４を参照して、電子マネーのみの支払いによって機器２を利用し、かつ、機器２の利用に基づく領収書を発行する場合のフローについて説明する。ＳＱ５０１では、利用者が端末装置４の操作ボタン１３６を第２条件で押下する操作に基づいて、端末装置４が、第２モードＭ２を実行する。
【０１２２】
ＳＱ５０２では、端末装置４が、ＩＣカードＣＤに対して、チャージ金額ＣＶの読出指令を出力する。ＳＱ５０３では、端末装置４が、ＩＣカードＣＤに記憶されたチャージ金額ＣＶを読み出す。ＳＱ５０４では、端末装置４において、ＩＣカードＣＤから読み出されたチャージ金額ＣＶから第２単位金額ＵＶ２を受領することが可能なときに、金額受領可否判定部２５４が金額受領可能の判定結果を主制御部２４２に出力する。ＳＱ５０５では、端末装置４が、金額受領可否判定部２５４から出力される金額受領可能の判定結果に基づいて、ＩＣカードＣＤから読み出されたチャージ金額ＣＶから第２単位金額ＵＶ２を減算して更新されたチャージ金額ＣＶをＩＣカードＣＤに書き込む。
【０１２３】
ＳＱ５０６では、端末装置４において、ＳＱ５０４での判定結果に基づいて、主制御部２４２が金額受領信号Ｓｃ２の出力指令を金額受領信号出力部２４５に出力する。ＳＱ５０７では、端末装置４が、金額受領信号出力部２４５に金額受領信号Ｓｃ２が入力されたことに基づいて、金額受領信号出力部２４５から出力された金額受領信号Ｓｃ２を機器２に出力する。ＳＱ５０８では、端末装置４が、ＳＱ５０４での判定結果に基づいて第２単位金額ＵＶ２が支払われたものと確定し、金額受領情報出力部２５８から金額受領情報ＣＲＩ１を上位装置５に出力すると共に、領収書情報出力部２５９から出力された領収書情報ＣＲＩ２を上位装置５に出力する。
【０１２４】
ＳＱ５０９では、金額受領信号Ｓｃ２が入力されたときに、受領した第２単位金額ＵＶ２の合計金額である受領金額ＲＶが、機器２の稼働条件ＯＣである単位金額ＵＣに達した場合（ＲＶ≧ＵＣ）、機器２は稼動される。なお、ＳＱ５０２〜ＳＱ５０８のシーケンスステップは、第２単位金額ＵＶ２が単位金額ＵＣに達するまで、概して何回も繰り返される。
【０１２５】
ＳＱ５１０では、上位装置５において、利用者による入力装置１４２への領収書発行指示の入力に基づいて、領収書発行制御部２８８が領収書発行指令を主制御部２７１に出力する。ＳＱ５１１では、上位装置５が、主制御部２７１に領収書発行指令が入力されたことに基づいて、モード切替信号を端末装置４に出力する。ＳＱ５１２では、端末装置４が、モード切替信号の入力に基づいて、第１モードＭ１を実行する、換言すれば、第２モードＭ２から第１モードＭ１に運用モードを切り替える。ＳＱ５１３では、端末装置４が、第１単位金額ＵＶ１および第２単位金額ＵＶ２のそれぞれがゼロ値の領収書情報ＣＲＩ２を上位装置５に出力する。これにより、上位装置５の記憶部２８６に記憶されている第２領収書情報ＣＲＩ４が初期化される。
【０１２６】
次に、図１５を参照して、硬貨（現金通貨）および電子マネーの両方による支払いで機器２を利用し、かつ、機器２の利用に基づく領収書を発行する場合のフローについて説明する。ＳＱ６０１では、利用者が端末装置４の操作ボタン１３６を第２条件で押下する操作に基づいて、端末装置４が、第２モードＭ２を実行する。
【０１２７】
ＳＱ６０２では、現金受付装置３が、１枚の現金ＣＮを受け付けた（すなわち、第１単位金額ＵＶ１を受領した）ことに基づいて、現金検出信号Ｓｃ１を端末装置４に出力する。ＳＱ６０３では、端末装置４において、現金検出信号入力部２４６に現金検出信号Ｓｃ１が入力されたことに基づいて、該現金検出信号入力部２４６が検出信号ＤＳを主制御部２４２に出力する。ＳＱ６０４では、端末装置４が、主制御部２４２に検出信号ＤＳが入力されたことに基づいて、主制御部２４２から出力された金額受領信号Ｓｃ２の出力指令を金額受領信号出力部２４５に出力する。ＳＱ６０５では、端末装置４が、金額受領信号出力部２４５に金額受領信号Ｓｃ２の出力指令が入力されたことに基づいて、金額受領信号出力部２４５から出力された金額受領信号Ｓｃ２を機器２に出力する。ＳＱ６０６では、端末装置４が、主制御部２４２に検出信号ＤＳが入力されたことに基づいて第１単位金額ＵＶ１が支払われたものと確定し、金額受領情報出力部２５８から出力された金額受領情報ＣＲＩ１を上位装置５に出力すると共に、領収書情報出力部２５９から出力された領収書情報ＣＲＩ２を上位装置５に出力する。
【０１２８】
ＳＱ６０７では、端末装置４が、ＩＣカードＣＤに対して、チャージ金額ＣＶの読出指令を出力する。ＳＱ６０８では、端末装置４が、ＩＣカードＣＤに記憶されたチャージ金額ＣＶを読み出す。ＳＱ６０９では、ＩＣカードＣＤから読み出されたチャージ金額ＣＶから第２単位金額ＵＶ２を受領することが可能なときに、端末装置４において、金額受領可否判定部２５４が金額受領可能の判定結果を主制御部２４２に出力する。ＳＱ６１０では、端末装置４が、金額受領可否判定部２５４から出力される金額受領可能の判定結果に基づいて、ＩＣカードＣＤから読み出されたチャージ金額ＣＶから第２単位金額ＵＶ２を減算して更新されたチャージ金額ＣＶをＩＣカードＣＤに書き込む。
【０１２９】
ＳＱ６１１では、端末装置４において、ＳＱ６０９での判定結果に基づいて、主制御部２４２が金額受領信号Ｓｃ２の出力指令を金額受領信号出力部２４５に出力する。ＳＱ６１２では、端末装置４が、金額受領信号出力部２４５に金額受領信号Ｓｃ２が入力されたことに基づいて、金額受領信号出力部２４５から出力された金額受領信号Ｓｃ２を機器２に出力する。ＳＱ６１３では、端末装置４が、ＳＱ３０８での判定結果に基づいて、第２単位金額ＵＶ２が支払われたものと確定し、金額受領情報出力部２５８から出力された金額受領情報ＣＲＩ１を上位装置５に出力する。
【０１３０】
ＳＱ６１４では、金額受領信号Ｓｃ２が入力されたときに、受領した第１単位金額ＵＶ１と第２単位金額ＵＶ２との合計金額である受領金額ＲＶが、機器２の稼働条件ＯＣである単位金額ＵＣに達した場合（ＲＶ≧ＵＣ）、機器２は稼動される。なお、ＳＱ６０２〜ＳＱ６１３のシーケンスステップは、受領金額ＲＶが単位金額ＵＣに達するまで、概して何回も繰り返される。
【０１３１】
ＳＱ６１５では、上位装置５において、利用者による入力装置１４２への領収書発行指示の入力に基づいて、領収書発行制御部２８８が領収書発行指令を主制御部２７１に出力する。ＳＱ６１６では、上位装置５が、主制御部２７１に領収書発行指令が入力されたことに基づいて、モード切替信号を端末装置４に出力する。ＳＱ６１７では、端末装置４が、モード切替信号の入力に基づいて、第１モードＭ１を実行する、換言すれば、第２モードＭ２から第１モードＭ１に運用モードを切り替える。ＳＱ６１８では、端末装置４が、第１単位金額ＵＶ１および第２単位金額ＵＶ２のそれぞれがゼロ値の領収書情報ＣＲＩ２を上位装置５に出力する。これにより、上位装置５の記憶部２８６に記憶されている第２領収書情報ＣＲＩ４が初期化される。
【０１３２】
次に、図１６を参照して、硬貨（現金通貨）および電子マネーの両方による支払いで機器２を利用し、かつ、機器２の利用に基づく領収書の発行を行わなかった場合のフローについて説明する。ＳＱ７０１では、利用者が端末装置４の操作ボタン１３６を第２条件で押下する操作に基づいて、端末装置４が、第２モードＭ２を実行する。
【０１３３】
ＳＱ７０２では、現金受付装置３が、１枚の現金ＣＮを受け付けた（すなわち、第１単位金額ＵＶ１を受領した）ことに基づいて、現金検出信号Ｓｃ１を端末装置４に出力する。ＳＱ７０３では、端末装置４において、現金検出信号入力部２４６に現金検出信号Ｓｃ１が入力されたことに基づいて、該現金検出信号入力部２４６が検出信号ＤＳを主制御部２４２に出力する。ＳＱ７０４では、端末装置４において、主制御部２４２に検出信号ＤＳが入力されたことに基づいて、主制御部２４２から出力された金額受領信号Ｓｃ２の出力指令を金額受領信号出力部２４５に出力する。ＳＱ７０５では、端末装置４が、金額受領信号出力部２４５に金額受領信号Ｓｃ２の出力指令が入力されたことに基づいて、金額受領信号出力部２４５から出力された金額受領信号Ｓｃ２を機器２に出力する。ＳＱ７０６では、端末装置４が、主制御部２４２に検出信号ＤＳが入力されたことに基づいて第１単位金額ＵＶ１が支払われたものと確定し、金額受領情報出力部２５８から出力された金額受領情報ＣＲＩ１を上位装置５に出力すると共に、領収書情報出力部２５９から領収書情報ＣＲＩ２を上位装置５に出力する。
【０１３４】
ＳＱ７０７では、端末装置４が、ＩＣカードＣＤに対して、チャージ金額ＣＶの読出指令を出力する。ＳＱ７０８では、端末装置４が、ＩＣカードＣＤに記憶されたチャージ金額ＣＶを読み出す。ＳＱ７０９では、ＩＣカードＣＤから読み出されたチャージ金額ＣＶから第２単位金額ＵＶ２を受領することが可能なときに、端末装置４において、金額受領可否判定部２５４が金額受領可能の判定結果を主制御部２４２に出力する。ＳＱ７１０では、端末装置４が、金額受領可否判定部２５４から出力される金額受領可能の判定結果に基づいて、ＩＣカードＣＤから読み出されたチャージ金額ＣＶから第２単位金額ＵＶ２を減算して更新されたチャージ金額ＣＶをＩＣカードＣＤに書き込む。
【０１３５】
ＳＱ７１１では、端末装置４において、ＳＱ７０９での判定結果に基づいて、主制御部２４２が金額受領信号Ｓｃ２の出力指令を金額受領信号出力部２４５に出力する。ＳＱ７１２では、端末装置４が、金額受領信号出力部２４５に金額受領信号Ｓｃ２が入力されたことに基づいて、金額受領信号出力部２４５から出力された金額受領信号Ｓｃ２を機器２に出力する。ＳＱ７１３では、端末装置４が、ＳＱ７０９での判定結果に基づいて、第２単位金額ＵＶ２が支払われたものと確定し、金額受領情報出力部２５８から出力された金額受領情報ＣＲＩ１を上位装置５に出力する。
【０１３６】
ＳＱ７１４では、金額受領信号Ｓｃ２が入力されたときに、受領した第１単位金額ＵＶ１と第２単位金額ＵＶ２との合計金額である受領金額ＲＶが、機器２の稼働条件ＯＣである単位金額ＵＣに達した場合（ＲＶ≧ＵＣ）、機器２は稼動される。なお、ＳＱ７０２〜ＳＱ７１３のシーケンスステップは、受領金額ＲＶが単位金額ＵＣに達するまで、概して何回も繰り返される。
【０１３７】
ＳＱ７１５では、端末装置４が、ＳＱ７０１で第２モードＭ２が実行されてから所定時間経過したか否かを判定する。換言すれば、端末装置４は、第２モードＭ２がタイムアウトするか否かを判定する。ＳＱ７１６では、ＳＱ７１５でＳＱ７０１の第２モード実行後所定時間経過していると判定された場合、すなわち第２モードＭ２をタイムアウトすると判定された場合に、端末装置４が第１モードＭ１を実行する、換言すれば、第２モードＭ２から第１モードＭ１に運用モードを切り替える。ＳＱ７１７では、端末装置４が、第１単位金額ＵＶ１および第２単位金額ＵＶ２のそれぞれがゼロ値の領収書情報ＣＲＩ２を上位装置５に出力する。これにより、上位装置５の記憶部２８６に記憶されている第２領収書情報ＣＲＩ４が初期化される。
【０１３８】
（領収書発行の動作）
次に、図１６〜図２１を参照して、領収書発行システム８による機器２の利用に基づく領収書の発行にかかる動作について説明する。最初に、図１７を参照して、機器２の動作について説明する。ステップＳ１１では、第１単位金額ＵＶ１を受領したか否か、換言すれば、現金受付装置３に現金ＣＮが投入されたか否かが判断される。第１単位金額ＵＶ１を受領したと判断された場合、次のステップＳ１２に進み、現金検出信号Ｓｃ１が、現金受付装置３の現金検出信号発生部２３２から出力される。
【０１３９】
次のステップＳ１３に進み、機器制御装置４０の金額確定部２１０で金額受領信号Ｓｃ２が入力されたか否かが判断される。このとき金額確定部２１０で受信される金額受領信号Ｓｃ２は、第１単位金額ＵＶ１の受領に基づく金額受領信号Ｓｃ２である。
【０１４０】
ステップＳ１３で金額受領信号Ｓｃ２を受信したと判断された場合、ステップＳ１４に進み、機器制御装置４０の主制御部２０２で、受領金額ＲＶが単位金額ＵＣ以上か否かが判断される。受領金額ＲＶが単位金額ＵＣ以上と判断された場合、次のステップＳ１５に進み、主制御部２０２が、記憶装置２０４から単位金額ＵＣに対応する機器２の稼働可能時間Ｔｅｏを読み出す。
【０１４１】
次のステップＳ１６に進み、ステップＳ１５で読み出された稼働可能時間Ｔｅｏに基づいて、機器２が稼動される。次のステップＳ１７に進み、機器２の稼働時間Ｔが稼働可能時間Ｔｅｏを越えないか否かが判断される（Ｔ＜Ｔｅｏ）。稼働時間Ｔが稼働可能時間Ｔｅｏを超えない場合、ステップＳ１７が繰り返される。他方、稼働時間Ｔが稼働可能時間Ｔｅｏを越えている場合、ステップＳ１８に進み、機器２の稼動が終了され、ステップＳ１１に戻る。
【０１４２】
一方、ステップＳ１１では、第１単位金額ＵＶ１を受領していないと判断された場合、ステップＳ１３に進み、金額確定部２１０で金額受領信号Ｓｃ２を受信したか否かが判断される。このとき金額確定部２１０で受信される金額受領信号Ｓｃ２は、端末装置４での電子マネーによる支払い、換言すれば、第２単位金額ＵＶ２の受領に基づく金額受領信号Ｓｃ２である。
【０１４３】
また、ステップＳ１３では、金額受領信号Ｓｃ２を受信していない登坂出された場合、ステップＳ１１に戻り、ステップＳ１１〜ステップＳ１３が繰り返される。
【０１４４】
さらに、ステップＳ１４では、受領金額ＲＶが単位金額ＵＣに達していない（ＲＶ＜ＵＣ）と判断された場合、ステップＳ１１に戻り、ステップＳ１１〜ステップＳ１４が繰り返される。
【０１４５】
次に、図１８〜図２０を参照して、端末装置４の動作を説明する。ステップＳ２１で、端末装置４は、起動直後および待機状態のとき、第１モードＭ１が実行されている。次のステップＳ２２に進み、第２モードＭ２の実行指示が入力されたか否かが判断される。第２モードＭ２の実行指示が入力されていないと判断された場合、ステップＳ２３に進み、電子マネーによる支払い対して第１受領処理が実行され、ステップＳ２２に戻る。他方、第２モードＭ２の実行指示が入力されたと判断された場合、ステップＳ２４に進む
【０１４６】
ステップＳ２４では、ステップＳ２２で入力された第２モードＭ２の実行指示に従って、端末装置４の主制御部２４２が、第２モードＭ２を実行すると共に、ステップＳ２５において第２モードＭ２を実行している時間（以下、第２モードＭ２実行時間という。）の計時を開始する。
【０１４７】
次のステップＳ２６に進み、電子マネーによる支払い対して第２受領処理が実行される。次のステップＳ２７に進み、上位装置５から出力されたモード切替信号を主制御部２４２が受信したか否かが判断される。モード切替信号を受信した場合、ステップＳ２９に進む。他方、モード切替信号を受信していない場合、ステップＳ２８に進む。
【０１４８】
次のステップＳ２８では、第２モードＭ２実行時間があらかじめ設定された規定値に達しているか否かが判断される。第２モードＭ２実行時間が規定値に達していない場合、ステップＳ２６に戻り、ステップＳ２６〜ステップＳ２８の実行が繰り返される。他方、第２モードＭ２実行時間が規定値に達している場合、ステップＳ２９に進む。
【０１４９】
次のステップＳ２９では、主制御部２４２が第１モードＭ１を実行する。換言すれば、端末装置４の実行モードが、第２モードＭ２から第１モードＭ１に切り替えられる。
【０１５０】
次のステップＳ３０に進み、領収書情報出力部２５９から出力される領収書情報ＣＲＩ２に対して、第１単位金額ＵＶ１および第２単位金額ＵＶ２に関するデータに「ゼロ値」が設定される。次のステップＳ３１に進み、第１単位金額ＵＶ１および第２単位金額ＵＶ２が「ゼロ値」に設定された領収書情報ＣＲＩ２を上位装置５に出力し、ステップＳ２２に戻る。第１単位金額ＵＶ１および第２単位金額ＵＶ２が「ゼロ値」に設定された領収書情報ＣＲＩ２が出力されることにより、当該領収書情報ＣＲＩ２が入力された上位装置５の制御ユニット１５４の記憶部２８６に記憶された第２領収書情報ＣＲＩ４がクリアされる。
【０１５１】
図１９を参照して、図１７のステップＳ２３の第１受領処理を説明する。ステップＳ４１では、端末装置４で第２単位金額ＵＶ２が受領されたか否かが判断される。換言すれば、ＩＣカードＣＤに記憶された電子マネーによる支払いが行われたか否かが判断される。すなわち、端末装置４の金額受領可否判定部２５４で、ＩＣカードＣＤに記憶された電子マネーの残額により第２単位金額ＵＶ２の受領可能か否かが判断される。ステップＳ４１で、第２単位金額ＵＶ２が受領されていないと判断された場合、ステップＳ４５に進む。
【０１５２】
一方、ステップＳ４１で第２単位金額ＵＶ２が受領されたと判断された場合、ステップＳ４２に進み、受領された第２単位金額ＵＶ２に基づく金額受領情報ＣＲＩ１が、端末装置４の記憶部２４４に記憶される。
【０１５３】
次のステップＳ４３に進み、金額受領信号Ｓｃ２が端末装置４の金額受領信号出力部２４５から出力される。
【０１５４】
次のステップＳ４４では、ステップＳ４２で記憶部２４４に記憶された金額受領情報ＣＲＩ１が、端末装置４の金額受領情報出力部２５８から出力され、無線通信装置２６０を介して上位装置５に送信される。
【０１５５】
次のステップＳ４５に進み、現金検出信号Ｓｃ１が、端末装置４の現金検出信号入力部２４６に入力されたか否かが判断される。換言すれば、検出信号ＤＳが、端末装置４の主制御部２４２に入力されたか否かが判断される。すなわち、第１単位金額ＵＶ１が、端末装置４に対応する機器２の現金受付装置３で受領されたか否かが判断される。換言すれば。現金ＣＮが、現金受付装置３で受け付けられたか否かが判断される。ステップＳ４５で、現金検出信号Ｓｃ１が現金検出信号入力部２４６に入力されていないと判断された場合、端末装置４は第１受領処理を終了する。
【０１５６】
一方、ステップＳ４５で現金検出信号入力部２４６に現金検出信号Ｓｃ１が入力されたと判断された場合、ステップＳ４６に進み、現金受付装置３で受領された第１単位金額ＵＶ１に基づく金額受領情報ＣＲＩ１が、記憶部２４４に記憶される。
【０１５７】
次のステップＳ４７に進み、金額受領信号Ｓｃ２が金額受領信号出力部２４５から出力される。
【０１５８】
次のステップＳ４８では、ステップＳ４６で記憶部２４４に記憶された金額受領情報ＣＲＩ１が、端末装置４の金額受領情報出力部２５８から出力され、無線通信装置２６０を介して上位装置５に送信される。ステップＳ４８の処理が実行されたあと、端末装置４は第１受領処理を終了する。第１受領処理の全ステップの処理が完了した後、図１８のステップＳ２２に戻る。
【０１５９】
図２０を参照して、図１７のステップＳ２６の第２受領処理を説明する。ステップＳ５１では、端末装置４で第２単位金額ＵＶ２が受領されたか否かが判断される。換言すれば、ＩＣカードＣＤに記憶された電子マネーによる支払いが行われたか否かが判断される。すなわち、端末装置４の金額受領可否判定部２５４において、ＩＣカードＣＤに記憶された電子マネーの残額により第２単位金額ＵＶ２の受領可能か否かが判断される。ステップＳ５１で、第２単位金額ＵＶ２が受領されていないと判断された場合、ステップＳ５５に進む。
【０１６０】
一方、ステップＳ５１で第２単位金額ＵＶ２が受領されたと判断された場合、ステップＳ５２に進み、受領された第２単位金額ＵＶ２に基づく金額受領情報ＣＲＩ１および領収書情報ＣＲＩ２のそれぞれが、端末装置４の記憶部２４４に記憶される。
【０１６１】
次のステップＳ５３に進み、金額受領信号Ｓｃ２が端末装置４の金額受領信号出力部２４５から出力される。
【０１６２】
次のステップＳ５４では、ステップＳ５２で記憶部２４４に記憶された金額受領情報ＣＲＩ１が端末装置４の金額受領情報出力部２５８から出力されると共に、ステップＳ５２で記憶部２４４に記憶された領収書情報ＣＲＩ２が領収書情報出力部２５９から出力され、金額受領情報ＣＲＩ１および領収書情報ＣＲＩ２のそれぞれが無線通信装置２６０を介して上位装置５に送信される。
【０１６３】
次のステップＳ５５に進み、現金検出信号Ｓｃ１が、端末装置４の現金検出信号入力部２４６に入力されたか否かが判断される。換言すれば、検出信号ＤＳが、端末装置４の主制御部２４２に入力されたか否かが判断される。すなわち、第１単位金額ＵＶ１が、端末装置４に対応する機器２の現金受付装置３で受領されたか否かが判断される。換言すれば。現金ＣＮが、現金受付装置３で受け付けられたか否かが判断される。ステップＳ５５で、現金検出信号Ｓｃ１が現金検出信号入力部２４６に入力されていないと判断された場合、端末装置４は第１受領処理を終了する。
【０１６４】
一方、ステップＳ５５で現金検出信号Ｓｃ１が現金検出信号入力部２４６に入力されたと判断された場合、ステップＳ５６に進み、現金受付装置３で受領された第１単位金額ＵＶ１に基づく金額受領情報ＣＲＩ１および領収書情報ＣＲＩ２のそれぞれが、記憶部２４４に記憶される。
【０１６５】
次のステップＳ５７に進み、金額受領信号Ｓｃ２が金額受領信号出力部２４５から出力される。
【０１６６】
次のステップＳ５８では、ステップＳ５６で記憶部２４４に記憶された金額受領情報ＣＲＩ１および領収書情報ＣＲＩ２のそれぞれが。端末装置４の金額受領情報出力部２５８および領収書情報出力部２５９のそれぞれから出力され、無線通信装置２６０を介して上位装置５に送信される。ステップＳ５８の処理が実行されたあと、端末装置４は第２受領処理を終了する。第２受領処理の全ステップの処理が完了した後、図１８のステップＳ２２に戻る。
【０１６７】
次に、図２１を参照して、上位装置５の動作を説明する。ステップＳ６１では、領収書の発行要求が上位装置５の入力装置１４２に入力されたか否かが判断される。領収書の発行要求が入力装置１４２に入力されていないと判断された場合、ステップＳ６２に進む。一方、領収書発行要求が入力装置１４２に入力されたと判断された場合、次のステップＳ６４に進む。
【０１６８】
ステップＳ６２では、端末装置４から出力された金額受領情報ＣＲＩ１および領収書情報ＣＲＩ２のそれぞれが、上位装置５の制御ユニット１５４の主制御部２７１に入力されたか否かが判断される。金額受領情報ＣＲＩ１および領収書情報ＣＲＩ２のそれぞれが主制御部２７１に入力されていないと判断された場合、ステップＳ６１に戻る。一方、金額受領情報ＣＲＩ１および領収書情報ＣＲＩ２のそれぞれが主制御部２７１に入力されたと判断された場合、次のステップＳ６３に進み、金額受領情報ＣＲＩ１に基づいた第２金額受領情報ＣＲＩ３が上位装置５の制御ユニット１５４の記憶装置２８４に記憶され、領収書情報ＣＲＩ２に基づいた第２領収書情報ＣＲＩ４が上位装置５の制御ユニット１５４の記憶部２８６に記憶される。ステップＳ６３の処理が完了したあと、ステップＳ６１に戻る。
【０１６９】
ステップＳ６４では、ステップＳ６１で入力された領収書の発行要求に対応する第２領収書情報ＣＲＩ４が記憶部２８６に記憶されているか否かが判断される。換言すれば、記憶部２８６に記憶されている第２領収書情報ＣＲＩ４が「ゼロ値」か否かが判断される。さらに換言すれば、記憶部２８６に記憶されている第２領収書情報ＣＲＩ４が「ゼロ値」か「非ゼロ値」のどちらであるかが判断される。ステップＳ６４で第２領収書情報ＣＲＩ４が記憶部２８６に記憶されていない（すなわち、第２領収書情報ＣＲＩ４が「ゼロ値」である）と判断された場合、ステップＳ６９に進み、上位装置５の表示装置１４１に第２領収書情報ＣＲＩ４が記憶部２８６に記憶されていない旨のエラー情報を表示し、ステップＳ６１に戻る。
【０１７０】
一方、ステップＳ６４で第２領収書情報ＣＲＩ４が記憶部２８６に記憶されている（すなわち、第２領収書情報ＣＲＩ４が「非ゼロ値」である）と判断された場合、ステップＳ６５に進み、端末装置４の主制御部２４２に第１モードＭ１を実行させるモード切替信号が領収書発行制御部２８８から出力される。
【０１７１】
次のステップＳ６６では、領収書の印字指令が、上位装置５の制御ユニット１５４の領収書発行制御部２８８から主制御部２７１を介して印字装置１８０の印字制御部３００に出力される。
【０１７２】
次のステップＳ６７では、領収書の印字データが、印字装置１８０の印字データ生成部３０２で、記憶部２８６に記憶された第２領収書情報ＣＲＩ４に基づいて生成される。
【０１７３】
次のステップＳ６８では、領収書が、ステップＳ６７で生成された印字データに基づいて、印字装置１８０の印字部３０４で印字され、送出口１８２から送り出される。ステップＳ６８の処理が完了したあと、ステップＳ６１に戻る。
【産業上の利用可能性】
【０１７４】
本発明は、所定の金額に応じて稼働する機器の領収書発行方法および収書発行システムに好適に利用でき、例えば、コインランドリー店舗におけるランドリー機器の利用に対する領収書の発行への使用が好適である。また、ゲームセンター、バッティングセンターおよびゴルフ練習場などにおける機器の利用に対する領収書の発行への使用にも好適に利用できる。
【符号の説明】
【０１７５】
１  機器管理システム
２  機器
３  現金受付装置（硬貨選別装置）
４  端末装置
５  上位装置
８  領収書発行システム
１０  遠隔管理装置
３０  コインランドリー店舗
４０  機器制御装置
４４  駆動部
１０２  筐体
１０３  前板
１０４  開口
１０６  扉
１０８  表示装置
１１０  操作ボタン
１１２  乾燥室
１１４  ドラム
１１４ａ  開口
１１４ｂ  周壁
１１４ｃ  後壁
１１５  回転軸
１１６  モータ
１１６ａ  出力軸
１１７  送風機
１１８  送風機用モータ
１１９  ベルト
１２０  加熱器
１２２  硬貨投入口
１２４  返却レバー
１２６  硬貨返却口
１２８  金庫
１３０  筐体
１３２  カード読取書込装置
１３４  表示装置
１３６  操作ボタン
１４０  筐体
１４１  表示装置
１４２  入力装置
１４３  タッチパネル
１４６  硬貨選別装置
１４７  硬貨払出装置
１４８  硬貨払出口
１５０  紙幣入金装置
１５２  カード処理装置
１５４  制御ユニット
１６１  硬貨金庫
１６２  操作ボタン
１６３  選択ボタン
１６４  硬貨投入口
１６５  硬貨返却口
１６６  返却レバー
１６７  紙幣投入口
１６８  紙幣識別部
１６９  紙幣貯留部
１７０  カード入出口
１７１  カード読取書込部
１７２  カード貯留部
１８０  印字装置
１８２  送出口
２０２  主制御部
２０４  記憶装置
２０６  駆動制御部
２０８  入出力制御部
２１０  金額確定部
２３２  現金検出信号発生部
２４０  端末制御装置
２４２  主制御部
２４４  記憶部
２４５  金額受領信号出力部
２４６  現金検出信号入力部
２４８  表示制御部
２５０  入力制御部
２５２  読取書込制御部
２５４  金額受領可否判定部
２５６  金額演算部
２５８  金額受領情報出力部
２５９  領収書情報出力部
２６０  無線通信装置
２７１  主制御部
２７２  表示制御部
２７３  入力制御部
２７４  紙幣入金制御部
２７６  カード処理制御部
２７８  硬貨入金計数部
２８０  硬貨払出制御部
２８２  無線通信装置
２８４  記憶装置
２８６  記憶部
２８８  領収書発行制御部
２９０  有線通信装置
３００  印字制御部
３０２  印字データ生成部
３０４  印字部
ＣＤ  カード
ＣＲ  金額情報
ＣＲ１  現金情報
ＣＲ２  ＩＣ金額情報
ＣＲＩ１  金額受領情報
ＣＲＩ２  領収書情報
ＣＲＩ３  第２金額受領情報
ＣＲＩ４  第２領収書情報
ＣＶ  チャージ金額
Ｄｃｒ  確定金額情報
ＤＳ  検出信号
ＲＶ  受領金額
ＲＶ２  第２受領金額
Ｓｃ１  現金検出信号
Ｓｃ２  金額受領信号
ＴＩＤ  端末識別情報
ＵＣ  単位金額
ＵＶ１  第１単位金額
ＵＶ２  第２単位金額
【図１】
2019153195.tif 000003
【図２】
2019153195.tif 000004
【図３】
2019153195.tif 000005
【図４】
2019153195.tif 000006
【図５】
2019153195.tif 000007
【図６】
2019153195.tif 000008
【図７】
2019153195.tif 000009
【図８】
2019153195.tif 000010
【図９】
2019153195.tif 000011
【図１０】
2019153195.tif 000012
【図１１】
2019153195.tif 000013
【図１２】
2019153195.tif 000014
【図１３】
2019153195.tif 000015
【図１４】
2019153195.tif 000016
【図１５】
2019153195.tif 000017
【図１６】
2019153195.tif 000018
【図１７】
2019153195.tif 000019
【図１８】
2019153195.tif 000020
【図１９】
2019153195.tif 000021
【図２０】
2019153195.tif 000022
【図２１】
2019153195.tif 000023